(57)【要約】【課題】特定の演出モード中において、より高揚感及び意外性のある演出を表現可能な遊技機を提供する。【解決手段】演出制御手段が、遊技機の稼働時間中の所定時間ごとに、事前判定情報記憶手段に記憶されている事前判定情報に基づいて図柄の変動開始時期を算定し、当該算定の結果、変動開始時期が所定時間以降となる図柄が含まれている場合、所定時間経過後から当該図柄の変動中において、所定時間経過以前の図柄の変動において表示される先読み演出の内容とは異なる先読み演出に決定する先読み演出決定部を備えた構成とした。【選択図】図４５
2016116778.tif 000002
【特許請求の範囲】
【請求項１】
遊技盤の遊技領域に配設された始動部品への入球を契機として取得される始動情報を逐次記憶する保留記憶手段と、
前記保留記憶手段により記憶された始動情報に基づいて、前記遊技領域に配設された大入賞部品を開放動作させる特別遊技の実行可否に関する抽選を実行する当否抽選手段と、
前記保留記憶手段により記憶された始動情報に基づいて、停止態様により前記抽選の結果を報知する図柄の変動時間を含む変動情報を決定する図柄変動情報決定手段と、
前記抽選、及び前記変動情報の決定前に、前記始動情報に基づいて前記特別遊技の実行可否に関する抽選、及び前記図柄の変動時間を含む変動情報の決定を事前に逐次実行する事前判定手段と、
前記事前判定手段による前記抽選の結果及び決定された変動情報を事前判定情報として記憶する事前判定情報記憶手段と、
前記図柄変動情報決定手段により決定された変動情報に基づいて、前記遊技盤に配設された演出表示部に前記図柄の変動中に表示される変動演出の内容を決定するとともに、前記事前判定情報記憶手段に記憶された事前判定情報に基づいて、前記演出表示部に表示される先読み演出の有無及び内容を決定し、決定された各演出の内容を前記演出表示部に表示させる演出制御手段と、
を備えた遊技機であって、
前記演出制御手段は、前記遊技機の稼働時間中の所定時間ごとに、前記事前判定情報記憶手段に記憶されている事前判定情報に基づいて前記図柄の変動開始時期を算定し、当該算定の結果、変動開始時期が前記所定時間以降となる図柄が含まれている場合、前記所定時間経過後から当該図柄の変動中において、前記所定時間経過以前の図柄の変動において表示される先読み演出の内容とは異なる先読み演出に決定する先読み演出決定部を備えたことを特徴とする遊技機。
【請求項２】
前記遊技機の稼働時間中の前記所定時間ごとに、前記遊技機に配設された発光部からの発光及び音声出力部からの音声の出力、又はこれらのうちのいずれかが禁止される特別区間を設定する演出モード切替手段を更に備え、
前記先読み演出決定部は、前記特別区間における前記所定時間経過以前の図柄の変動において表示される先読み演出の内容とは異なる先読み演出として、前記発光部からの発光及び音声出力部からの音声の出力、又はこれらのうちのいずれかを伴う演出に決定することを特徴とする請求項１記載の遊技機。
【請求項３】
前記特別区間は、前記発光部からの発光及び音声出力部からの音声の出力、又はこれらのうちのいずれかが禁止されることを事前に示唆する第１区間と、当該第１区間後であって、前記発光部からの発光及び音声出力部からの音声の出力、又はこれらのうちのいずれかが禁止される第２区間とに区分され、
前記先読み演出決定部は、前記算定の結果、変動開始時期が前記第２区間以降となる図柄が含まれている場合、前記第１区間経過後から当該図柄の変動中において、前記所定時間経過以前の図柄の変動において表示される先読み演出の内容とは異なる先読み演出に決定することを特徴とする請求項２記載の遊技機。
【発明の詳細な説明】
【技術分野】
【０００１】
本発明は、遊技機に関し、特に複数の演出モードが設けられた遊技機に関する。
【背景技術】
【０００２】
従来、遊技機の一形態であるパチンコ機においては、遊技盤に配設された始動口への遊技球の入球を契機として取得される乱数に基づいて、いわゆる大当り遊技実行の可否に関する抽選を実行し、当該抽選の結果を液晶表示装置等に表示される図柄の停止態様によって報知する。特許文献１には、現在時刻（実時間）を計時するＲＴＣ（Real Time Clock）を搭載したパチンコ機が開示され、当該パチンコ機は、ＲＴＣにより計時された現在時刻が予め設定された時刻に達したことを契機として、以後所定の期間だけ演出モードを切り替える構成を備えている。
【先行技術文献】
【特許文献】
【０００３】
【特許文献１】特許第５３６７３０８号公報
【発明の概要】
【発明が解決しようとする課題】
【０００４】
上記特許文献１に係るパチンコ機では、切替後の演出モード中において大当り遊技実行の可否に関する内部抽選が当りとなったことに基づいて、当該当りとなったことを示す図柄の変動中に所定の位置に配置されたランプを所定のパターンにより点灯させることにより、当りと対応する変動であることを印象付ける工夫がなされているものの、そのパターンに乏しく、より高揚感及び意外性のある演出を表現することができないという問題がある。
【０００５】
本発明は、上記課題を解決すべくなされたものであって、特定の演出モード中において、より高揚感及び意外性のある演出を表現可能な遊技機を提供する。
【課題を解決するための手段】
【０００６】
上記課題を解決するための本発明の構成として、遊技盤の遊技領域に配設された始動部品への入球を契機として取得される始動情報を逐次記憶する保留記憶手段と、保留記憶手段により記憶された始動情報に基づいて、遊技領域に配設された大入賞部品を開放動作させる特別遊技の実行可否に関する抽選を実行する当否抽選手段と、保留記憶手段により記憶された始動情報に基づいて、停止態様により抽選の結果を報知する図柄の変動時間を含む変動情報を決定する図柄変動情報決定手段と、前記抽選、及び変動情報の決定前に、始動情報に基づいて特別遊技の実行可否に関する抽選、及び図柄の変動時間を含む変動情報の決定を事前に逐次実行する事前判定手段と、事前判定手段による抽選の結果及び決定された変動情報を事前判定情報として記憶する事前判定情報記憶手段と、図柄変動情報決定手段により決定された変動情報に基づいて、遊技盤に配設された演出表示部に図柄の変動中に表示される変動演出の内容を決定するとともに、事前判定情報記憶手段に記憶された事前判定情報に基づいて、演出表示部に表示される先読み演出の有無及び内容を決定し、決定された各演出の内容を演出表示部に表示させる演出制御手段とを備えた遊技機であって、演出制御手段は、遊技機の稼働時間中の所定時間ごとに、事前判定情報記憶手段に記憶されている事前判定情報に基づいて図柄の変動開始時期を算定し、当該算定の結果、変動開始時期が所定時間以降となる図柄が含まれている場合、所定時間経過後から当該図柄の変動中において、所定時間経過以前の図柄の変動において表示される先読み演出の内容とは異なる先読み演出に決定する先読み演出決定部を備えた構成とした。
また、遊技機の稼働時間中の前記所定時間ごとに、遊技機に配設された発光部からの発光及び音声出力部からの音声の出力、又はこれらのうちのいずれかが禁止される特別区間を設定する演出モード切替手段を更に備え、先読み演出決定部は、特別区間における所定時間経過以前の図柄の変動において表示される先読み演出の内容とは異なる先読み演出として、発光部からの発光及び音声出力部からの音声の出力、又はこれらのうちのいずれかを伴う演出に決定する構成とした。
また、特別区間は、発光部からの発光及び音声出力部からの音声の出力、又はこれらのうちのいずれかが禁止されることを事前に示唆する第１区間と、当該第１区間後であって、発光部からの発光及び音声出力部からの音声の出力、又はこれらのうちのいずれかが禁止される第２区間とに区分され、先読み演出決定部は、算定の結果、変動開始時期が第２区間以降となる図柄が含まれている場合、第１区間経過後から当該図柄の変動中において、所定時間経過以前の図柄の変動において表示される先読み演出の内容とは異なる先読み演出に決定する構成とした。
なお、上記発明の概要は、本発明の必要な特徴の全てを列挙したものではなく、特徴群を構成する個々の構成もまた発明となり得る。
【発明の効果】
【０００７】
上記各構成に係る遊技機によれば、特定の演出モード中において、より高揚感及び意外性のある演出を表現可能となる。
【図面の簡単な説明】
【０００８】
【図１】パチンコ機の概略斜視図である。
【図２】遊技盤の正面図である。
【図３】パチンコ機の制御ブロック図である。
【図４】特図当否判定テーブルの概要を示す図である。
【図５】特図種別決定テーブルの概要を示す図である。
【図６】変動パターン決定テーブルの概要を示す図である。
【図７】特別遊技制御テーブルの概要を示す図である。
【図８】遊技状態設定テーブルの概要を示す図である。
【図９】普図当否判定テーブルの概要を示す図である。
【図１０】普図変動パターン決定テーブルの概要を示す図である。
【図１１】開閉体作動テーブルの概要を示す図である。
【図１２】主制御回路のＣＰＵ初期化処理を示すフロー図である。
【図１３】主制御回路の電源断時退避処理を示すフロー図である。
【図１４】主制御回路のタイマ割込み処理を示すフロー図である。
【図１５】主制御回路のスイッチ管理処理を示すフロー図である。
【図１６】主制御回路の第１始動口通過処理を示すフロー図である。
【図１７】主制御回路の第２始動口通過処理を示すフロー図である。
【図１８】主制御回路の特別図柄乱数取得処理を示すフロー図である。
【図１９】主制御回路の取得時事前判定処理を示すフロー図である。
【図２０】特図遊技管理フェーズを説明する図である。
【図２１】主制御回路の特図遊技管理処理を示すフロー図である。
【図２２】主制御回路の特別図柄変動待ち処理を示すフロー図である。
【図２３】主制御回路の特別図柄変動中処理を示すフロー図である。
【図２４】主制御回路の特別図柄停止後処理を示すフロー図である。
【図２５】主制御回路の大入賞口開放前処理を示すフロー図である。
【図２６】大入賞口開閉切替処理を示すフロー図である。
【図２７】大入賞口開放制御処理を示すフロー図である。
【図２８】大入賞口閉鎖有効処理を示すフロー図である。
【図２９】大入賞口終了ウェイト処理を示すフロー図である。
【図３０】演出表示部及び演出図柄の例を示す図である。
【図３１】複数のパチンコ機が設置された場合の演出モードの変化を説明する図である。
【図３２】演出制御回路のサブＣＰＵ初期化処理を示すフロー図である。
【図３３】演出制御回路のサブタイマ割込み処理を示すフロー図である。
【図３４】演出制御回路の演出モード切替処理を示すフロー図である。
【図３５】演出モードの移行過程を説明するタイムチャートである。
【図３６】演出の種類を説明する概要図である。
【図３７】演出制御回路の事前判定コマンド受信処理を示すフロー図である。
【図３８】特図保留領域と事前判定情報記憶領域との関係を示す概要図である。
【図３９】演出図柄の変動開始時期と演出モードとの関係を説明する概要図である。
【図４０】演出制御回路のサイレントモード時先読み演出決定処理を示すフロー図である。
【図４１】サイレントモード用先読み演出決定テーブルの概要を説明する図である。
【図４２】サイレントモード時における先読み演出の内容の一例を示す概要図である。
【図４３】演出制御回路の通常モード時先読み演出決定処理を示すフロー図である。
【図４４】通常モード用先読み演出決定テーブルの概要を説明する図である。
【図４５】演出制御回路の演出モード切替時先読み演出決定処理を示すフロー図である。
【図４６】先読み演出実行時期決定処理を示すフロー図である。
【図４７】事前判定情報の記憶時期と変動数との関係を示す概要図である。
【図４８】通常モード時先読み演出時期決定テーブルの概要を示す図である。
【図４９】事前判定情報の記憶時期とイベント２区間の開始前後の変動数との関係を示す概要図である。
【図５０】サイレントモード時先読み演出時期決定テーブルの概要を示す図である。
【図５１】演出制御回路の変動パターンコマンド受信処理を示すフロー図である。
【図５２】変動演出パターン決定テーブルの概要を説明する図である。
【図５３】演出制御回路のタイムスケジュール管理処理を示すフロー図である。
【発明を実施するための形態】
【０００９】
以下、実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【００１０】
［遊技機の全体構成について］
遊技機の一例としてのパチンコ機１は、遊技場の島設備に設置される縦長方形状の機枠２と、この機枠２の一側部においてヒンジ機構により開閉自在に取り付けられた本体枠３と、当該本体枠３内に収容された遊技盤３０と、本体枠３の前方において開閉可能に軸着され、中央部に配設されたガラス窓４Ａ、及びガラス窓４Ａの下方に設けられた受皿６を有するパネル枠４と、パネル枠４の下部一側部より前方に突設されたハンドルユニット７、及びパネル枠４の上部両側部に配設されたスピーカユニット８を主たる構成として備える。
パネル枠４が本体枠３側に閉じられた状態において、パチンコ機１の前方に着座する遊技者からは、パネル枠４に配設されたガラス窓４Ａを介して本体枠３内に収容された遊技盤３０の遊技領域３０Ａを視認することが可能である。パネル枠４、及び後述する遊技盤３０の各部には、複数のＬＥＤ等からなる照明部４０が複数配設されている。スピーカユニット８から出力される音声、及び照明部４０の点灯パターンは、後述する演出制御回路２００によって遊技の進行に応じて制御される。また、本実施形態においては、全ての照明部４０が消灯し、スピーカユニット８からの音声が無音化される特定の演出モード（サイレントモード）を有している。
【００１１】
受皿６の中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御回路２００と接続されており、プッシュボタン９Ａ、及びダイアル９Ｂから出力される信号は、演出制御回路２００側に入力する。受皿６には、この他、球貸ボタンや返却ボタン等が配設されており、これらのボタン操作によって図外のＣＲユニットに投入されたＩＣカード等の記録媒体に記録された貸し球可能数に対応する遊技球の貸し出し動作、或いは記録媒体の返却動作が実行される。
【００１２】
［遊技盤の構成について］
図２に示すように、本体枠３内に収容された遊技盤３０には、外ガイドレール２７及び内ガイドレール２８によって略円形状に区画された遊技領域３０Ａが形成される。遊技領域３０Ａは、遊技盤３０の前面とガラス窓４Ａの後面との間に形成される空間である。遊技盤３０には、図外の多数の釘や風車が配設されており、遊技者のハンドルユニット７の操作によって図外の発射機構により発射された遊技球は、多数の釘や風車によって不規則に誘導されつつ遊技領域３０Ａ内を流下する。
【００１３】
また、遊技領域３０Ａ内には、第１始動部品６０、第２始動部品６２、大入賞部品６４、及び複数の一般入賞部品６６が配設されており、これらの入賞部品に遊技球が入球すると、各入賞部品に対応した所定数の賞球が受皿６に払出される。また、詳細については後述するが、遊技球が第１始動部品６０、又は第２始動部品６２に入球すると、上記賞球の払出しの他、大入賞部品６４を開放動作させ、遊技者にとって有利な状態を醸成する特別遊技の可否に関する抽選や、当該特別遊技の態様、或いは特別遊技後の遊技状態を決定するための抽選を始めとする各種の抽選が主制御回路１００により実行される。即ち、第１始動部品６０、又は第２始動部品６２への遊技球の入球は、上記各種の抽選を受けるための契機となるものである。
【００１４】
また、第２始動部品６２は、図２中において破線で示す閉鎖状態と、実線で示す開放状態を取り得る開閉体６３を備えており、当該開閉体６３の状態に応じて、第２始動部品６２への入球の難易が変化するようになっている。具体的には、開閉体６３が上下方向に直立した閉鎖状態にあっては、第２始動部品６２の直上に位置する障害部品との関係により、第２始動部品６２への入球が極めて困難、又は不可能とされる。一方、開閉体６３が左右方向に倒伏した開放状態にあっては、第２始動部品６２の直上に位置する障害部品との関係により、第２始動部品６２への入球が容易とされる。
【００１５】
開閉体６３の開放動作は、遊技領域３０Ａ内に配設された通過ゲート６８への遊技球の通過を契機として主制御回路１００により実行される開閉体６３の開放動作の可否に関する抽選の結果が当りとなった場合に実行される。
【００１６】
第１始動部品６０、及び第２始動部品６２よりも下方に配設された大入賞部品６４は、遊技球が入球可能な大入賞口６４Ａと、当該大入賞口６４Ａの全域を閉鎖又は開放する開閉体６４Ｂとを備えており、通常時においては大入賞口６４Ａが開閉体６４Ｂにより閉鎖され、遊技球の入球が不可能となっている。一方で、前述の特別遊技が実行されると開閉体６４Ｂが開放動作し、遊技球の入球が容易とされる。また、遊技領域３０Ａの最下部には、上記複数の入賞部品のいずれにも入球しなかった遊技球を回収するアウト口６９が開設されており、当該アウト口６９まで流下した遊技球は、遊技盤３０の背部側を経由して外部に排出される。
【００１７】
また、遊技盤３０の略中央部には例えば液晶表示装置からなる演出表示装置５０が設けられている。演出表示装置５０は、後述する演出図柄に関する画像や、当該演出図柄の変動表示に伴って表示される変動演出に係る画像、或いは特別遊技中において表示される画像等の種々の画像を表示可能な演出表示部５０Ａを有し、一般に遊技者は、当該演出表示部５０Ａに表示される多様な画像表示による演出を視認しながら遊技を進行する。
【００１８】
遊技盤３０の遊技領域３０Ａの外方には、第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８が設けられている。各表示装置は、遊技の進行状況に応じて主制御回路１００によって制御され、その表示の変化によって遊技状況を遊技者に報知する。
【００１９】
［パチンコ機の内部構成について］
図３は、パチンコ機１の制御を担う制御手段の構成を示すブロック図である。同図に示すように、パチンコ機１は、主として遊技全般に係る基本動作を制御する主制御回路１００と、主として払出動作を制御する払出制御回路１５０と、主として遊技球の発射動作を制御する発射制御回路１６０及び、主として前述の演出表示装置５０を制御する演出制御回路２００とを備える。
【００２０】
主制御回路１００は、（メイン）ＣＰＵ１００ａ、（メイン）ＲＯＭ１００ｂ、及び（メイン）ＲＡＭ１００ｃを備えてなり、ＣＰＵ１００ａが後述する各検出スイッチやタイマからの入力に対応してＲＯＭ１００ｂに予め格納されたプログラムを読み出して、当該プログラムに従った演算処理を行い、主制御回路１００に接続された上述の各装置を直接的に制御したり、他の制御回路に多様なコマンドを送信する。また、このときＲＡＭ１００ｃは、ＣＰＵ１００ａの演算処理時におけるワークエリアとして機能し、演算に必要な各種のデータや、コマンドを一時的に保持する。
【００２１】
図３に示すように、主制御回路１００には、第１始動部品６０への遊技球の入球を検出する第１始動口検出スイッチＳＷ１、第２始動部品６２への遊技球の入球を検出する第２始動口検出スイッチＳＷ２、大入賞部品６４への遊技球の入球を検出する大入賞口検出スイッチＳＷ３、一般入賞部品６６への遊技球の入球を検出する一般入賞口検出スイッチＳＷ４、及び通過ゲート６８への遊技球の通過を検出するゲート検出スイッチＳＷ５が接続されており、各検出スイッチから出力される検出信号が主制御回路１００側に入力する。
【００２２】
また、主制御回路１００には、前述の第２始動部品６２に設けられた開閉体６３を開閉動作させるためのソレノイドＳＯＬ１、及び大入賞部品６４に設けられた開閉体６４Ｂを開閉動作させるためのソレノイドＳＯＬ２が接続され、これらのソレノイドが主制御回路１００によって直接的に制御される。また、主制御回路１００には、第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８が接続されており、これらの表示装置が主制御回路１００によって直接的に制御される。
【００２３】
また、主制御回路１００には、払出制御回路１５０、及び演出制御回路２００が接続されている。払出制御回路１５０は、主制御回路１００と同様に不図示のＣＰＵ、ＲＯＭ、ＲＡＭを備えたマイクロコンピュータであって、主制御回路１００と通信可能に接続されている。また、主制御回路１００と払出制御回路１５０は、外部情報出力端子板１５１が接続されている。外部情報出力端子板１５１は、主制御回路１００（ＣＰＵ１００ａ）及び払出制御回路１５０（払出ＣＰＵ）から出力された遊技の進行に関する種々の情報をパチンコ機１の設置店等に設けられたホストコンピュータ側に送信する。
【００２４】
また、払出制御回路１５０には、遊技者に対して賞球を払い出すための払出モータ１５２、及び賞球数計数スイッチ１５３が接続されている。払出制御回路１５０は、主制御回路１００から送信される払出コマンドに含まれる賞球数情報に基づいて所定の賞球数が払い出されるように払出モータ１５２を制御する。当該払出モータ１５２の駆動により払い出された賞球は、賞球数計数スイッチ１５３により検出され、払出制御回路１５０側において、適正な賞球数が払い出されたかが把握される。なお、払出制御回路１５０には、この他、受皿６に許容数以上の遊技球が貯留されていることを検知する皿満タン検出スイッチや、パネル枠４や本体枠３の扉が開放していることを検知する扉開放検出スイッチ等の各種のスイッチが接続される。
【００２５】
また、発射制御回路１６０には、ハンドルユニット７内に搭載されたタッチセンサ１６１、発射ボリューム１６２、図外の発射機構内に受皿６に貯留された遊技球を送り込む球送りモータ１６３、及び発射機構内に格納された球発射モータ１６４が接続されており、発射制御回路１６０は、払出制御回路１５０からの発射許可およびタッチセンサ１６１からの入力を条件として、遊技者によるハンドルユニット７の操作量に応じて変化する発射ボリューム１６２からの入力信号に基づいて球発射モータ１６４を制御し、受皿６に貯留された遊技球を所定の発射力により遊技領域３０Ａ内に打ち出す。
【００２６】
演出制御回路２００は、遊技進行中や待機中における各種の演出表示を制御する。演出制御回路２００は、（サブ）ＣＰＵ２００ａ、（サブ）ＲＯＭ２００ｂ、（サブ）ＲＡＭ２００ｃを備えてなり、主制御回路１００に対して主制御回路１００から演出制御回路２００に対してのみ通信（一方向通信）が可能なように接続されている。当該演出制御回路２００は、主制御回路１００から送信される演出に関する各種のコマンドや内部タイマからの入力信号に基づいて、ＲＯＭ２００ｂに予め格納されたプログラムを読み出して、当該プログラムに従った演算処理を行い、演出制御回路２００に接続された演出表示装置５０の演出表示部５０Ａの画像制御、遊技進行中における楽曲や効果音などの音声をスピーカユニット８から出力させる音声出力制御や、演出表示部５０Ａの左右方向に離間して配設された可動体５５Ａ，５５Ｂ、或いは演出表示部５０Ａの上方に配設された回転可動体５５Ｃを動作させるソレノイドやモータ等の駆動手段を動作させる可動体駆動制御、或いは遊技盤３０及びパネル枠４等の各所に配設された照明部４０を多様なパターンにより発光させる点灯制御等を実行する。なお、このときＲＡＭ２００ｃは、ＣＰＵ２００ａの演算処理時におけるワークエリアとして機能し、演算に必要な各種のデータや、コマンド等を一時的に保持する。
また、演出制御回路２００は、ＣＰＵ２００ａと接続され、当該ＣＰＵ２００ａより送信される画像表示に係る各種のコマンドを受信して演出表示部５０Ａに多様な画像を表示するためのＶＤＰ、及び上記画像表示処理中に必要な各種のデータ等を一時的に保存するＶＲＡＭ、スピーカユニット８から出力される音声制御のための音声合成ＬＳＩやサウンドプロセッサー、照明部４０の点灯制御のための点灯制御基板等、各種制御に必要なハードウェアを備えている。
また、演出制御回路２００には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。
また、演出制御回路２００には、ＲＴＣが接続されている。ＲＴＣは、断電時においても図外のバックアップ電源により、計時動作が継続可能とされており、現在時刻（実時間）を演出制御回路２００側に出力する。演出制御回路２００は、現在時刻が例えば遊技機管理者側により予め設定された演出モード切替時刻となったことを契機として、演出モードを切り替える。本例において演出モード切替時刻は、例えば９：３０〜２３：３０までの間で、１時間おきに設定されているものとする。なお、演出モード切替時刻を判定するための計時手段としては、ＲＴＣに限られず、例えば電源投入と同時に計時動作を開始する図外のタイマ等を採用してもよい。また、ＲＴＣを主制御回路１００側に接続してもよく、この場合、主制御回路１００は、演出モード切替時刻となったことに基づいて、演出制御回路２００側に演出モードの切り替えを実行させる所定のコマンド（演出モード切替コマンド）を送信する。
【００２７】
図示は省略するが、上述の各制御回路には電源供給回路が接続されており、当該電源供給回路に設けられた電源スイッチの操作により、遊技機管理者側の外部電源から電源が供給され、該外部電源を各制御回路の動作に必要な電源として生成し、各制御回路に生成した電源を供給することで各制御回路が起動する。また、電源供給回路には、コンデンサ等のバックアップ用電源が搭載されており、断電時においては当該バックアップ用電源から主制御回路１００及び払出制御回路１５０に対して電力が供給され、これら２つの制御回路のＲＡＭに格納された各種のデータやコマンドが保持される。また、電源供給回路には、演出制御回路２００に対する専用のバックアップ用電源も搭載されており、断電時においては当該専用のバックアップ用電源からの電力供給によりＲＡＭに格納された各種のデータやコマンドの一部が別途搭載されたバックアップ用ＲＡＭに格納される。
【００２８】
以下、上記構成からなるパチンコ機１の遊技の流れについて概説する。
遊技者のハンドルユニット７の操作により遊技領域３０Ａ内を流下する遊技球が前述の第１始動部品６０又は第２始動部品６２に入球すると、主制御回路１００では特別遊技（所謂大当り遊技）の実行可否に関する抽選（以下、特図当否抽選ともいう）、特別図柄の種類を決定する抽選（以下、特図種別決定抽選ともいう）、特別図柄の変動パターンを決定する抽選（以下、特図変動パターン決定抽選ともいう）等の種々の抽選を実行する。
そして、上記抽選のうち、特図当否抽選の結果が「当り」である場合には、前述の大入賞部品６４の大入賞口６４Ａを開放し、遊技球の入球を容易とする特別遊技が実行される。以下、各抽選の概要について説明する。
【００２９】
まず、遊技球が第１始動部品６０又は第２始動部品６２に入球すると、上記特図当否抽選において参照される特図当否判定乱数や、特図種別決定乱数、変動パターン決定乱数等、種々の乱数が同時に取得され、当該取得された乱数がＲＡＭ１００ｃの保留記憶領域に格納される。なお、以下の説明においては、第１始動部品６０への入球を契機として取得される上記種々の乱数を総称して特１保留といい、第２始動部品６２への入球を契機として取得される上記種々の乱数を総称して特２保留という場合がある。さらに、特１保留及び特２保留を総称して始動情報という。
【００３０】
上記保留記憶領域は、特１保留、及び特２保留をそれぞれ独立して記憶可能な第１特図保留記憶領域と第２特図保留記憶領域とを備えている。第１特図保留記憶領域および第２特図保留記憶領域は、それぞれ４つの記憶部（第１〜第４記憶部）を有している。
そして、第１始動部品６０に遊技球が入球すると、特１保留を第１特図保留記憶領域の第１記憶部から順に記憶し、第２始動部品６２に遊技球が入球すると、特２保留を第２特図保留記憶領域の第１記憶部から順に記憶する。ただし、第１特図保留記憶領域および第２特図保留記憶領域に記憶可能な特１保留数（Ｘ１）および特２保留数（Ｘ２）は、それぞれ４つに設定されており、各保留記憶領域の上限を超えて保留数（Ｘ１，Ｘ２）が増加することはない。また、上述のとおり特１保留数（Ｘ１）及び特２保留数（Ｘ２）は、演出表示部５０Ａ上に表示される保留表示画像の表示数によって表現される。
【００３１】
［各種抽選処理について］
図４は、特図当否抽選において参照される特図当否判定テーブルＴＢの概要を示す図である。遊技球が、第１始動部品６０又は第２始動部品６２に入球すると、０〜６５５３５の範囲から１つの特図当否判定乱数が取得される。同図に示すように特図当否判定テーブルＴＢは、遊技状態が特図低確率である場合に参照される低確率用特図当否判定テーブルＴＢ１と、遊技状態が特図高確率である場合に参照される高確率用特図当否判定テーブルＴＢ２とに細分化されている。特図当否判定テーブルＴＢ１，ＴＢ２には、０〜６５５３５までの特図当否判定乱数に対応する判定結果（「当り」又は「ハズレ」）が規定されている。例えば、低確率用特図当否判定テーブルＴＢ１が参照された場合に判定結果が「当り」となる確率は、約３９９分の１であり、高確率用特図当否判定テーブルＴＢ２が参照された場合に判定結果が当りとなる確率は、１０倍の約３９．９分の１である。そして、上記取得された特図当否判定乱数が、「当り」と対応する乱数である場合は判定結果が当りとなり、「ハズレ」と対応する乱数である場合は判定結果がハズレと判定される。
なお、上記特図当否判定テーブルＴＢ１，ＴＢ２においては、判定結果を「当り」，「ハズレ」の２通りとしたがこの他、「小当り」を付加したテーブルとしてもよい。
ここで、「小当り」とは、大入賞部品６４の大入賞口６４Ａを開放し、遊技球の入球を容易とする遊技の開放時間が特別遊技よりも少ない遊技であり、小当りによる遊技終了後に、小当り遊技開始前と遊技状態が変わることがない遊技である。
【００３２】
また、詳細については後述するが、特図低確率状態とは、上記特図当否抽選において低確率用特図当否判定テーブルＴＢ１を参照して抽選結果を判定する遊技状態である。一方、特図高確率状態とは、特図当否抽選において高確率用特図当否判定テーブルＴＢ２を参照して抽選結果を判定する遊技状態であり、特図低確率状態と比べて判定結果が「当り」となり易く、前述の特別遊技を獲得し易い状態である。
【００３３】
図５は、上記特図種別決定抽選において参照される特図種別決定テーブルＴＢの概要を示す図である。同図に示すように、特図種別決定テーブルＴＢは、特図種別決定乱数が第１始動部品６０への入球を契機として取得され、前述の特図当否抽選の結果が当りである場合に参照される特図種別決定テーブルＴＢ１と、特図種別決定乱数が第２始動部品６２への入球を契機として取得され、前述の特図当否抽選の結果が当りである場合に参照される特図種別決定テーブルＴＢ２と、特図当否抽選の結果がハズレである場合に参照される特図種別決定テーブルＴＢ３とに細分化される。
【００３４】
第１始動部品６０又は第２始動部品６２に入球すると、例えば０〜９９の範囲から１つの特図種別決定乱数が取得される。同図に示すように、特図種別決定テーブルＴＢ１，ＴＢ２には、０〜９９までの特図種別決定乱数に対応する特別図柄種別が所定の割合（選択率）で規定されている。例えば、特図種別決定テーブルＴＢ１が参照され、取得された特図種別決定乱数が０〜５９の範囲である場合には、特図種別が特別図柄Ａとして決定され、６０〜７９の範囲である場合には、特図種別が特別図柄Ｂとして決定され、８０〜９９の範囲である場合には、特図種別が特別図柄Ｄとして決定される。
つまり、第１始動部品６０への入球を契機とする特図当否抽選の結果が「当り」となり、特図種別決定テーブルＴＢ１が参照された場合の特別図柄Ａ、特別図柄Ｂ、特別図柄Ｄの選択率は、それぞれ６０％、２０％、２０％となる。
【００３５】
また、特図種別決定テーブルＴＢ２が参照され、取得された特図種別決定乱数が０〜５９の範囲である場合には、特図種別が特別図柄Ｃとして決定され、６０〜９９の範囲である場合には、特図種別が特別図柄Ｄとして決定される。つまり、第２始動部品６２への入球を契機とする特図当否抽選の結果が当りとなり、特図種別決定テーブルＴＢ２が参照された場合の特別図柄Ｃ及び特別図柄Ｄの選択率は、それぞれ６０％、４０％となる。
【００３６】
また、特図種別決定テーブルＴＢ３は、上記特図当否抽選の結果が「ハズレ」である場合に参照され、取得された特図種別決定乱数の範囲、及び特図種別決定乱数の取得契機に関わらず特図種別が無条件に特別図柄Ｘ（ハズレ図柄Ｘ）に決定される。
【００３７】
図６（ａ）は、上記特図変動パターン決定抽選において参照される変動パターン決定テーブルＴＢの一例を示す図である。本実施形態において変動パターン決定テーブルは、遊技状態が普図低確率である場合に参照される変動パターン決定テーブルＴＢ１、遊技状態が普図高確率である場合に参照される変動パターン決定テーブルＴＢ２に細分化されている。第１始動部品６０又は第２始動部品６２に入球すると、例えば０〜９９の範囲から１つの変動パターン決定乱数が取得され、上記いずれかの変動パターン決定テーブルＴＢから変動パターン決定乱数に対応する１の変動パターン番号が決定される。
【００３８】
同図に示すように、変動パターン決定テーブルＴＢ１，ＴＢ２には、前述の抽選により決定された特図当否抽選の結果（特図判定結果）、及び保留記憶数に応じて、変動パターン決定乱数に対応した変動パターン番号が規定されている。なお、本実施形態では特図判定結果が「当り」である場合には、保留記憶数に関わらず変動パターン決定乱数に応じて変動パターン番号が決定される構成としている。なお、変動パターン決定テーブルＴＢ１〜ＴＢ２は、例示であり、特図当否抽選の結果及び保留記憶数に加えて前述の特図種別ごとに異なる変動パターン番号が決定される構成としてもよい。また、変動パターン決定テーブルＴＢ１，ＴＢ２を遊技状態に応じて更に細分化して設けてもよい。
【００３９】
図６（ｂ）に示すように、各変動パターン番号には、変動時間（秒）が対応付けられている。変動時間は、第１特別図柄表示装置３５Ａ又は第２特別図柄表示装置３５Ｂ上で表示される特別図柄の変動表示時間、及び演出表示部５０Ａ上で特別図柄の変動表示と略同期して変動表示される演出図柄Ｓの変動時間、及び当該演出図柄Ｓの変動に伴って表示される変動演出の時間となる。本例における変動時間の最短は、例えば０．４秒であり最長は１２０秒である。また、特図判定結果が「ハズレ」である場合に変動パターン決定テーブルＴＢ２から抽出される変動パターン番号（図示の例では「１０Ｈ」〜「１３Ｈ」）と対応する変動時間の平均は、特図判定結果が「ハズレ」である場合に変動パターン決定テーブルＴＢ１から抽出される変動パターン番号（図示の例では「００Ｈ」〜「０５Ｈ」）と対応する変動時間の平均よりも大幅に短く設定されており、遊技状態が普図高確率である場合に特別図柄及び演出図柄Ｓの１回の変動に要する時間が、普図低確率の場合と比べて大幅に短縮されることとなる。
【００４０】
いずれかの変動パターン決定テーブルＴＢから、変動パターン番号が決定されると、変動パターン番号、及び変動時間に関する情報（変動時間情報）を含む変動パターンコマンドが演出制御回路２００側に送信され、演出表示部５０Ａ上において、演出図柄Ｓの変動表示が開始されるとともに、当該変動表示と併せて各変動パターン番号に従った種々の演出を表現する変動演出が表示されることとなる。
【００４１】
また、主制御回路１００は、変動パターンコマンドの送信と同時に第１特別図柄表示装置３５Ａ又は第２特別図柄表示装置３５Ｂを制御し、いずれかの表示装置上において特別図柄の変動表示を開始させる。その後、主制御回路１００は、上記変動表示時間が経過したことに基づいて、第１特別図柄表示装置３５Ａ又は第２特別図柄表示装置３５Ｂを制御して特別図柄の変動を停止させるとともに、演出制御回路２００側に後述する特図停止指定コマンドを送信し、演出表示部５０Ａ上において変動表示される演出図柄Ｓの変動を停止させる。なお、これらの変動表示に係る処理の詳細については後述する。
以上説明したとおり、主制御回路１００は、特別図柄の変動開始時に上述の特図当否抽選，特図種別決定抽選、及び特図変動パターン決定抽選を実行し、特別図柄及び演出図柄Ｓの最終的な停止態様によって、特別遊技実行の可否と関連する特図当否抽選の結果を報知する。また、以下、これら特別遊技の実行に関わる各種の抽選処理を総称して特図遊技抽選という場合がある。なお、一般的に遊技者は、特別図柄の変動表示と同期して変動表示される演出図柄Ｓの停止態様によって特図当否抽選の結果を認識することとなる。また、上記一連の抽選に関する具体的な処理については、図２２以下を参照しつつ後述する。
【００４２】
［特別遊技について］
図７は、前述の特図当否抽選の結果が「当り」となり、遊技者にとって有利な特別遊技（大当り遊技）が実行される場合に参照される特別遊技制御テーブルＴＢの概要を示す図である。この特別遊技制御テーブルＴＢには、特別遊技を制御するための各種データが記憶されており、特別遊技中は、当該テーブルを参照して開閉体６４Ｂと対応するソレノイドＳＯＬ２が通電制御される。なお、特別遊技制御テーブルＴＢは、特図種別ごとに複数設けられており、決定された特図種別に応じて、対応するテーブルが特別遊技の開始時にセットされるが、ここでは１つのテーブルに全ての特図種別に対応する制御データを示す。
【００４３】
特別遊技は、大入賞口６４Ａが所定回数開閉される複数回のラウンド遊技で構成されている。また、特別遊技制御テーブルＴＢによれば、オープニング時間（最初のラウンド遊技が開始されるまでの待機時間）、特別電動役物最大作動回数（１回の特別遊技中に実行されるラウンド遊技の回数）、特別電動役物開閉切替回数（１ラウンド（Ｒ）中の大入賞口６４Ａの開放回数）、ソレノイド通電時間（大入賞口６４Ａの開放回数ごとのソレノイドＳＯＬ２の通電時間、すなわち、１回の大入賞口６４Ａの開放時間）、規定数（１回のラウンド遊技における大入賞口６４Ａへの最大入賞可能数）、大入賞口閉鎖有効時間（ラウンド遊技間の大入賞口６４Ａの閉鎖時間、すなわち、インターバル時間）、エンディング時間（最後のラウンド遊技が終了してから、通常の特別遊技（特別図柄の変動表示）が再開されるまでの待機時間）が、特別遊技の制御データとして、特図種別ごとに図示のように予め記憶されている。
【００４４】
例えば、特図種別が特別図柄Ａである場合に特別遊技が実行されると、特別遊技の態様としては、ソレノイドＳＯＬ２への通電による開閉体６４Ｂの開放動作によって大入賞口６４Ａが２９秒間開放すること、又は、大入賞口６４Ａ内に遊技球が９個（カウントＣ＝９）入球することのいずれかの条件が成立するまでラウンドが継続し、当該ラウンドが５回繰り返される。また、特図種別が特別図柄Ｂである場合に特別遊技が実行されると、特別遊技の態様として開閉体６４Ｂの開放動作によって大入賞口６４Ａが２９秒間開放すること、又は、大入賞口６４Ａ内に遊技球が９個（カウントＣ＝９）入球することのいずれかの条件が成立するまでラウンドが継続し、当該ラウンドが８回繰り返される。また、特図種別が特別図柄Ｃである場合に特別遊技が実行されると、特別遊技の態様として、開閉体６４Ｂの開放動作によって大入賞口６４Ａが２９秒間開放すること、又は、大入賞口６４Ａ内に遊技球が９個（カウントＣ＝９）入球することのいずれかの条件が成立するまでラウンドが継続し、当該ラウンドが１５回繰り返される。また、特図種別が特別図柄Ｄである場合に特別遊技が実行されると、特別遊技の態様として、開閉体６４Ｂの開放動作によって大入賞口６４Ａが２９秒間開放すること、又は、大入賞口６４Ａ内に遊技球が９個（カウントＣ＝９）入球することのいずれかの条件が成立するまでラウンドが継続し、当該ラウンドが１０回繰り返される。
【００４５】
［遊技状態について］
図８は、上述の特別遊技が実行された場合に、当該特別遊技後の遊技状態を設定するために参照される遊技状態設定テーブルＴＢの概要を示す図である。同図に示すように、遊技状態設定テーブルＴＢには、特図種別に対応して、特図低確率又は特図高確率、及び普図低確率又は普図高確率のいずれかの組み合わせに係る遊技状態が規定されている。
【００４６】
ここで、特図低確率とは、前述の特図当否抽選において、図４に示す低確率用特図当否判定テーブルＴＢ１が参照される状態（当り確率＝３９９分の１）である。また、特図高確率とは、図４に示す高確率用特図当否判定テーブルＴＢ２が参照される状態（当り確率＝３９．９分の１）である。
また、普図低確率とは、前述の特図変動パターン決定抽選において、図６に示す変動パターン決定テーブルＴＢ１が参照され、後述の普図当否抽選において、図９に示す低確率用普図当否判定テーブルＴＢ１が参照され、判定結果が「当り」の場合に図１０に示す低確率用普図変動パターン決定テーブルＴＢ１が参照される状態である。また、普図高確率とは、前述の特図変動パターン決定抽選において、変動パターン決定テーブルＴＢ２が参照され、後述の普図当否抽選において、図９に示す高確率用普図当否判定テーブルＴＢ２が参照され、判定結果が「当り」の場合に図１０に示す高確率用普図変動パターン決定テーブルＴＢ２が参照される状態である。
【００４７】
図８に示す遊技状態設定テーブルＴＢによれば、特図種別が特別図柄Ａである場合、特別遊技後の遊技状態は、特図高確率、かつ、普図低確率の遊技状態となる。また、特図種別が特別図柄Ｂである場合、特別遊技後の遊技状態は、特図低確率、かつ、普図高確率の遊技状態となる。また、特図種別が特別図柄Ｃである場合、特別遊技後の遊技状態は、特図高確率、かつ、普図高確率の遊技状態となる。また、特図種別が特別図柄Ｄである場合、特別遊技後の遊技状態は、特図低確率、かつ、普図高確率の遊技状態となる。
遊技状態設定テーブルＴＢには、特図高確率、普図高確率が継続する遊技回数（特図高確回数，普図高確回数）についても規定されており、特図高確率又は普図高確率の状態は上記規定された遊技回数まで継続する。なお、遊技状態設定テーブルＴＢに規定された特図高確回数及び普図高確回数は、それぞれ後述の特図高確回数切りカウンタ及び普図高確回数切りカウンタによりカウントされる。また、特図種別の数、及び遊技状態の組み合わせは上述のものに限られることなく、特図種別をさらに細分化して設定する（例えば、図７、図８の各数値を細分化する、又は、図７に示す特別遊技が同一で、図８に示す特別遊技後の遊技状態を異ならせる設定など）ことにより、特別遊技の態様や、特別遊技後の遊技状態をさらに細分化して設定することも可能である。
【００４８】
以上説明したとおり、パチンコ機１においては、第１始動部品６０又は第２始動部品６２への入球を契機とする各種の抽選が実行され、上記各種抽選の結果が所定の結果である場合に、遊技者にとって有利な特別遊技が実行され、さらに当該特別遊技後の遊技状態が切り替わる構成である。一方、パチンコ機１においては、上記特別遊技の実行等に関する種々の抽選とは独立して、第２始動部品６２に設けられた開閉体６３の開放動作させる普通遊技実行の可否等に関する抽選（普図当否抽選，普図変動時間パターン決定抽選）も実行される。以下、普通遊技実行の可否等に関する種々の抽選処理（普図遊技）の概要について説明する。
【００４９】
遊技球が通過ゲート６８を通過すると、後述の普図当否抽選において参照される普図当否判定乱数が取得され、当該取得された乱数がＲＡＭ１００ｃの保留記憶領域に格納される。ここで、保留記憶領域は、上記普図当否判定乱数を記憶可能な普図記憶領域を有しており、当該普図記憶領域は４つの記憶部（第１〜第４記憶部）を有している。
そして、通過ゲート６８を遊技球が通過すると、普図当否判定乱数を第１記憶部から順に記憶する。但し、普図保留記憶領域に記憶可能な普図保留数（Ｘ３）は４つに設定されており、当該上限を超えて普図保留数Ｘ３が増加することはない。
【００５０】
図９は、普図当否抽選において参照される普図当否判定テーブルＴＢの概要を示す図である。遊技球が、通過ゲート６８を通過すると、例えば０〜９９の範囲から１つの普図当否判定乱数が取得される。同図に示すように普図当否判定テーブルＴＢは、遊技状態が前述の普図低確率である場合に参照される低確率用普図当否判定テーブルＴＢ１と、遊技状態が普図高確率である場合に参照される高確率用普図当否判定テーブルＴＢ２とに細分化されている。上記普図当否判定テーブルＴＢ１，ＴＢ２には、０〜９９までの普図当否判定乱数に対応する判定結果（「当り」又は「ハズレ」）が規定されている。例えば、低確率用普図当否判定テーブルＴＢ１が参照された場合に判定結果が「当り」となる確率は、５０分の１である。これに対して高確率用普図当否判定テーブルＴＢ２が参照された場合に判定結果が当りとなる確率は、１．２分の１である。
そして、上記取得された普図当否判定乱数が、「当り」と対応する乱数である場合は判定結果が当りとなり、「ハズレ」と対応する乱数である場合は判定結果がハズレとなる。
【００５１】
図１０は、普図変動パターン決定抽選において参照される普図変動パターン決定テーブルＴＢを説明する図である。上述の普図当否抽選が行われると、普図変動パターン決定テーブルＴＢに基づいて普通図柄の変動時間が決定される。同図に示すように、普図変動パターン決定テーブルＴＢは、遊技状態が普図低確率である場合に参照される低確率用普図変動パターン決定テーブルＴＢ１と、遊技状態が普図高確率である場合に参照される高確率用普図変動パターン決定テーブルＴＢ２とに細分化されており、それぞれのテーブルに単一の変動時間が規定されている。そして、低確率用普図変動パターン決定テーブルＴＢ１によれば、普通図柄の変動時間が「３０秒」に決定され、高確率用普図変動パターン決定テーブルＴＢ２によれば、普通図柄の変動時間が「１秒」に決定される。このようにして普通図柄の変動時間が決定されると、当該決定された変動時間に渡って、普通図柄表示装置３７上で表示される普通図柄の変動表示が開始され、変動時間経過後に上記普図当否抽選の結果を示す態様で停止表示される。
【００５２】
ここで、普通図柄表示装置３７は、例えば複数のＬＥＤランプを配列した形態として構成されており、変動表示中においては複数のランプが点滅し、上記普図当否抽選の結果が当りである場合には、複数のランプのうち、いずれかＬＥＤのランプが点灯して停止した状態となり、ハズレである場合には、例えば全てのＬＥＤランプ又は一部のランプが消灯した状態となる。なお、上記説明においては遊技状態に応じて単一の変動時間が規定された例を示したが、各遊技状態において複数の変動時間を規定し、所定の乱数による抽選によって遊技状態ごとに異なる普通図柄の変動時間が決定される構成としてもよい。
【００５３】
［普通遊技について］
図１１は、前述の普図当否抽選の結果が当りとなり、普通図柄が当りであることを示す態様で停止した場合に実行される普通遊技において参照される開閉体作動テーブルＴＢの概要を示す図である。同図に示すように、開閉体作動テーブルＴＢには、開閉体６３の開放回数、１回の開放動作当りの開放時間が規定されており、遊技状態が普図低確率である場合に参照される低確率用開閉体作動テーブルＴＢ１と、遊技状態が普図高確率である場合に参照される高確率用開閉体作動テーブルＴＢ２とに細分化されている。
そして、遊技状態が普図低確率である場合において、普通図柄が当りを示す態様で停止した場合、開閉体作動テーブルＴＢ１が参照されることにより、ソレノイドＳＯＬ１が通電制御され、第２始動部品６２の開閉体６３が０．３秒間１回開放動作される。一方、遊技状態が普図高確率である場合において、普通図柄が当りを示す態様で停止した場合、上記開閉体作動テーブルＴＢ２が参照されることにより、ソレノイドＳＯＬ１が通電制御され、第２始動部品６２の開閉体６３が１．８秒間開放する動作が３回繰り返されることとなる。つまり、遊技状態が普図高確率である場合、普図低確率と比較して普図当否抽選の結果が「当り」となり易く、普通図柄の変動時間が大幅に短縮され、かつ開閉体６３の開放時間の合計が長くなることから、遊技球が第２始動部品６２に入球し易くなり、遊技球の消費を抑えながら第２始動部品６２への入球を契機とする上述の特図遊技を行うことが可能となる。なお、本実施形態においては、普図当否抽選の結果が「当り」となる確率、普通図柄の変動時間、及び開閉体６３の開放時間の３つの要素を普図低確率の場合と比べて有利とすることにより、普図高確率の状態を醸成するようにしたが、これに限られるものではなく、上記３つの要素のうちの少なくとも１つを変更することにより普図高確率の状態を醸成することも可能である。以下、上述したパチンコ機１における主制御回路１００による主要な処理について複数のフローチャートを用いて説明する。
【００５４】
［主制御回路１００のＣＰＵ初期化処理］
図１２は、主制御回路１００のＣＰＵ１００ａによって実行されるＣＰＵ初期化処理の概要を示す図である。電源供給回路に外部電源が供給されると、ＣＰＵ１００ａに電源が供給されるとともにシステムリセットが入力され、ＣＰＵ１００ａは、以下のＣＰＵ初期化処理（Ｓ１００）を行う。
【００５５】
（ステップＳ１００−１）
ＣＰＵ１００ａは、電源投入に応じて、初期設定処理として、ＲＯＭ１００ｂから起動プログラムを読み込むとともに、各種処理を実行するために必要な設定処理を行う。
【００５６】
（ステップＳ１００−３）
ＣＰＵ１００ａは、タイマカウンタにウェイト処理時間を設定する。当該ウェイト処理時間は、払出制御回路１５０及び演出制御回路２００の起動待ち時間であり、ウェイト処理時間の経過により、払出制御回路１５０、演出制御回路２００は、主制御回路１００より送信される各種のコマンドを受信可能となる。
【００５７】
（ステップＳ１００−５）
ＣＰＵ１００ａは、電源断予告信号を検出しているかを判定する。なお、主制御回路１００には、電源断検知回路が接続されており、電源電圧が所定値以下になると、電源検知回路から電源断予告信号が出力される。電源断予告信号を検出している場合には、上記ステップＳ１００−３に処理を移し、電源断予告信号を検出していない場合には、ステップＳ１００−７に処理を移す。
【００５８】
（ステップＳ１００−７）
ＣＰＵ１００ａは、上記ステップＳ１００−３で設定したウェイト時間が経過したか否かを判定する。その結果、ウェイト時間が経過したと判定した場合にはステップＳ１００−９に処理を移し、ウェイト時間は経過していないと判定した場合には上記ステップＳ１００−５に処理を移す。
【００５９】
（ステップＳ１００−９）
ＣＰＵ１００ａは、メインＲＡＭ１００ｃへのアクセスを許可するために必要な処理を実行する。
【００６０】
（ステップＳ１００−１１）
ＣＰＵ１００ａは、ＲＡＭクリア信号がオンしているか否かを判定する。なお、パチンコ機１の背面には不図示のＲＡＭクリアボタンが設けられており、このＲＡＭクリアボタンが押下操作されると、ＲＡＭクリア検出スイッチがＲＡＭクリアボタンの押下操作を検出して、主制御回路１００にＲＡＭクリア信号が出力される。ここでは、ＲＡＭクリアボタンが押下操作された状態で電源が投入された場合に、ＲＡＭクリア信号がオンしていると判定される。そして、ＲＡＭクリア信号がオンしていると判定した場合にはステップＳ１００−１３に処理を移し、ＲＡＭクリア信号はオンしていないと判定した場合にはステップＳ１００−１９に処理を移す。
【００６１】
（ステップＳ１００−１３）
ＣＰＵ１００ａは、ＲＡＭ１００ｃのうち、電源投入時（ＲＡＭ１００ｃをクリアするリセット時）にクリアすべきクリア対象のデータをクリアする初期化処理を行う。
【００６２】
（ステップＳ１００−１５）
ＣＰＵ１００ａは、ＲＡＭ１００ｃがクリアされたことを演出制御回路２００に伝達するためのサブコマンド（ＲＡＭクリア指定コマンド）の送信処理（送信バッファに格納する処理）を行う。
【００６３】
（ステップＳ１００−１７）
ＣＰＵ１００ａは、ＲＡＭ１００ｃがクリアされたことを払出制御回路１５０に伝達するための払出コマンド（ＲＡＭクリア指定コマンド）の送信処理（送信バッファに格納する処理）を行う。
【００６４】
（ステップＳ１００−１９）
ＣＰＵ１００ａは、チェックサムを算出するために必要な処理を実行する。
【００６５】
（ステップＳ１００−２１）
ＣＰＵ１００ａは、上記ステップＳ１００−１９で算出したチェックサムが、電源断時に保存されたチェックサムと不一致であるかを判定する。その結果、両者が不一致であると判定した場合にはステップＳ１００−１３に処理を移し、両者が不一致ではない（一致する）と判定した場合にはステップＳ１００−２３に処理を移す。
【００６６】
（ステップＳ１００−２３）
ＣＰＵ１００ａは、ＲＡＭ１００ｃのうち、電源復帰時（ＲＡＭ１００ｃをクリアせずに、電源断前のデータを維持するとき）にクリアすべきクリア対象のデータをクリアする初期化処理を行う。
【００６７】
（ステップＳ１００−２５）
ＣＰＵ１００ａは、電源断から復帰したことを演出制御回路２００に伝達するためのサブコマンド（電源復帰指定コマンド）の送信処理（送信バッファに格納する処理）を行う。
【００６８】
（ステップＳ１００−２７）
ＣＰＵ１００ａは、電源断から復帰したことを払出制御回路１５０に伝達するための払出コマンド（電源復帰指定コマンド）の送信処理（送信バッファに格納する処理）を行う。
【００６９】
（ステップＳ１００−２９）
ＣＰＵ１００ａは、特図種別を示す電源投入時特図種別指定コマンド、特１保留数（Ｘ１）を示す特１保留指定コマンド、特２保留数（Ｘ２）を示す特２保留指定コマンドを送信するための電源投入時サブコマンドセット処理（送信バッファに格納する処理）を実行する。
【００７０】
（ステップＳ１００−３１）
ＣＰＵ１００ａは、タイマ割込みの周期を設定する。
【００７１】
（ステップＳ１００−３３）
ＣＰＵ１００ａは、割込みを禁止するための処理を行う。当該処理により、タイマ割込み中に詳述（図示）しない払出制御回路１５０から受信データ（主コマンド）を受信する割込み処理と、図１４に示すタイマ割込み処理の実行が禁止される。
【００７２】
（ステップＳ１００−３５）
ＣＰＵ１００ａは、特図種別決定乱数用初期値更新乱数を更新する。なお、特図種別決定乱数用初期値更新乱数は、特図種別決定乱数の初期値および終了値を決定するためのものである。つまり、後述する特図種別決定乱数の更新処理によって特図種別決定乱数が、特図種別決定乱数用初期値更新乱数から、当該特図種別決定乱数用初期値更新乱数−１まで１周すると、特図種別決定乱数は、そのときの特図種別決定乱数用初期値更新乱数に更新されることとなる。
【００７３】
（ステップＳ１００−３７）
ＣＰＵ１００ａは、払出制御回路１５０から受信した受信データ（主コマンド）を解析し、受信データに応じた種々の処理を実行する。
【００７４】
（ステップＳ１００−３９）
ＣＰＵ１００ａは、送信バッファに格納されているサブコマンドを演出制御回路２００に送信するための処理を行う。
【００７５】
（ステップＳ１００−４１）
ＣＰＵ１００ａは、割込みを許可するための処理を行う。
【００７６】
（ステップＳ１００−４３）
ＣＰＵ１００ａは、変動パターン決定乱数を更新し、以後、上記ステップＳ１００−３３から処理を繰り返す（以下、便宜上Ｓ１００−３３からＳ１００−４３を繰り返す処理をメインループ処理と呼ぶ）。
【００７７】
次に、主制御回路１００における割込み処理について説明する。ここでは、電源断時退避処理（ＸＩＮＴ割込み処理）およびタイマ割込み処理について説明する。
【００７８】
［主制御回路１００の電源断時退避処理（ＸＩＮＴ割込み処理）］
図１３は、主制御回路１００における電源断時退避処理（ＸＩＮＴ割込み処理）を説明するフローチャートである。ＣＰＵ１００ａは、電源断検知回路を監視しており、電源電圧が所定値以下になる（電源断予告信号が入力される）と、前述のＣＰＵ初期化処理のメインループ処理実行中に割り込んで電源断時退避処理を実行する。なお、本実施形態においては、後述のタイマ割込み処理中には当該電源断時退避処理が割込まないようにしている。
【００７９】
（ステップＳ３００−１）
電源断予告信号が入力されると、ＣＰＵ１００ａは、レジスタを退避する。
【００８０】
（ステップＳ３００−３）
ＣＰＵ１００ａは、電源断予告信号をチェックする。
【００８１】
（ステップＳ３００−５）
ＣＰＵ１００ａは、Ｓ３００−３の結果、電源断予告信号を検出していると判定した場合にはステップＳ３００−１１に処理を移し、電源断予告信号を検出していないと判定した場合にはステップＳ３００−７に処理を移す。
【００８２】
（ステップＳ３００−７）
ＣＰＵ１００ａは、レジスタを復帰させる。
【００８３】
（ステップＳ３００−９）
ＣＰＵ１００ａは、割込みを許可するための処理を行い、退避処理（Ｓ３００−１１以降の電源断時退避処理）を行うことなく当該電源断時退避処理を終了する。
【００８４】
（ステップＳ３００−１１）
ＣＰＵ１００ａは、出力ポートの出力を停止する出力ポートクリア処理を実行する。
【００８５】
（ステップＳ３００−１３）
ＣＰＵ１００ａは、チェックサムを算出して保存するチェックサム設定処理を実行する。
【００８６】
（ステップＳ３００−１５）
ＣＰＵ１００ａは、ＲＡＭ１００ｃへのアクセスを禁止するために必要なＲＡＭプロテクト設定処理を実行する。
【００８７】
（ステップＳ３００−１７）
ＣＰＵ１００ａは、電源断発生監視時間を設定すべく、ループカウンタのカウンタ値に所定の電源断検出信号検出回数をセットする。
【００８８】
（ステップＳ３００−１９）
ＣＰＵ１００ａは、電源断予告信号をチェックする。
【００８９】
（ステップＳ３００−２１）
ＣＰＵ１００ａは、電源断予告信号を検出しているかを判定する。その結果、電源断予告信号を検出していると判定した場合にはステップＳ３００−１７に処理を移し、電源断予告信号を検出していないと判定した場合にはステップＳ３００−２３に処理を移す。
【００９０】
（ステップＳ３００−２３）
ＣＰＵ１００ａは、上記ステップＳ３００−１７でセットしたループカウンタの値を１減算する。
【００９１】
（ステップＳ３００−２５）
ＣＰＵ１００ａは、ループカウンタのカウンタ値が０でないかを判定する。その結果、カウンタ値が０ではないと判定した場合にはステップＳ３００−１９に処理を移し、カウンタ値が０であると判定した場合には上記したＣＰＵ初期化処理（ステップＳ１００）に移行する。
【００９２】
なお、実際に電源断が生じた場合には、ステップＳ３００−１７〜ステップＳ３００−２５をループしている間にパチンコ機１の稼働が停止することとなる。
【００９３】
［主制御回路１００のタイマ割込み処理］
図１４は、主制御回路１００におけるタイマ割込み処理を説明するフローチャートである。主制御回路１００には、所定の周期（本実施形態では４ｍｓとする。２ｍｓでも良い。）毎にクロックパルスを発生させるリセット用クロックパルス発生回路が設けられている。そして、リセット用クロックパルス発生回路によって、クロックパルスが発生すると、ＣＰＵ初期化処理（ステップＳ１００）のメインループ処理実行中に割り込んで、以下のタイマ割込み処理が実行される。
【００９４】
（ステップＳ４００−１）
ＣＰＵ１００ａは、レジスタを退避する。
【００９５】
（ステップＳ４００−３）
ＣＰＵ１００ａは、割込みを許可するための処理を行う。当該処理によりタイマ割込み中に詳述（図示）しない払出制御回路１５０から受信データ（主コマンド）を受信する割込み処理が許可される。
【００９６】
（ステップＳ４００−５）
ＣＰＵ１００ａは、コモン出力バッファにセットされたコモンデータを出力ポートに出力し、第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８を点灯制御するダイナミックポート出力処理を実行する。
【００９７】
（ステップＳ４００−７）
ＣＰＵ１００ａは、各種の入力ポート情報を読み込み、主制御回路１００に接続された各種の機器における最新のスイッチ状態を正確に取得するためのポート入力処理を実行する。
【００９８】
（ステップＳ４００−９）
ＣＰＵ１００ａは、各種タイマカウンタを更新するタイマ更新処理を行う。ここで、各種タイマカウンタは、特に断る場合を除き、当該主制御回路１００のタイマ割込み処理の度に減算され、０になると減算を停止する。
【００９９】
（ステップＳ４００−１１）
ＣＰＵ１００ａは、上記ステップＳ１００−３５と同様、特図種別決定乱数用初期値更新乱数の更新処理を実行する。
【０１００】
（ステップＳ４００−１３）
ＣＰＵ１００ａは、特図種別決定乱数を更新する処理を行う。具体的には、乱数カウンタを１加算して更新し、加算した結果が乱数範囲の最大値を超えた場合には、乱数カウンタを０に戻し、乱数カウンタが１周した場合には、その時の特図種別図柄乱数用初期値更新乱数の値に基づいて乱数を更新する。
【０１０１】
なお、本実施形態では、特図当否判定乱数、及び普図当否判定乱数は、主制御回路１００に内蔵されたハードウェア乱数生成部によって更新されるハードウェア乱数を用いている。ハードウェア乱数生成部は、上記各乱数を、いずれも一定の規則にしたがって更新し、乱数列が一巡するごとに自動的に乱数列を変更するとともに、システムリセット毎にスタート値を変更している。
また、本実施形態では、特図当否判定乱数、及び普図当否判定乱数は、ハードウェア乱数生成部によって更新されるハードウェア乱数を判定用の乱数として用いているが、ソフトウェア乱数を判定用の乱数として用いる場合は、特図種別決定乱数と同様に初期値更新乱数を設けることにより、その初期値を変更することができる。
【０１０２】
（ステップＳ５００）
ＣＰＵ１００ａは、Ｓ４００−７の処理に基づき第１始動口検出スイッチＳＷ１、第２始動口検出スイッチＳＷ２、ゲート検出スイッチＳＷ５から信号の入力があったか否か判定するスイッチ管理処理を実行する。なお、当該処理の詳細については、図１５を参照して後述する。
【０１０３】
（ステップＳ６００）
ＣＰＵ１００ａは、特図遊技管理処理を実行する。なお、この当該処理の詳細については、図２２を参照して後述する。
【０１０４】
（ステップＳ７００）
ＣＰＵ１００ａは、上記の普図遊技を進行制御するための普図遊技管理処理を実行する。なお、詳細な説明については省略するが、普図遊技管理処理とは、後述の普図遊技管理フェーズ（図示せず）をロードし、当該ロードした普図遊技管理フェーズに対応する普図遊技制御モジュールを選択する処理であり、後述する複数の普図遊技管理フェーズに対応する普図遊技制御モジュールがコールされることにより、普図遊技に係る各種の処理が実行される。
【０１０５】
（ステップＳ４００−１５）
ＣＰＵ１００ａは、各種エラーの判定およびエラー判定結果に応じた設定を行うためのエラー管理処理を実行する。
【０１０６】
（ステップＳ４００−１７）
ＣＰＵ１００ａは、第１始動口検出スイッチＳＷ１、第２始動口検出スイッチＳＷ２、大入賞口検出スイッチＳＷ３、一般入賞口検出スイッチＳＷ４の入力チェックを行い、該当する賞球制御用のカウンタ等を加算するための入賞口スイッチ処理を実行する。
【０１０７】
（ステップＳ４００−１９）
ＣＰＵ１００ａは、上記ステップＳ４００−１７でセットされた賞球制御用のカウンタのカウンタ値等に基づく払出コマンドの作成および該コマンドを払出制御回路１５０に対して送信を行うための払出制御管理処理を実行する。
【０１０８】
（ステップＳ４００−２１）
ＣＰＵ１００ａは、外部情報出力端子板１５１から外部へ出力する外部情報用の出力データをセット（出力ポートバッファに格納）するための外部情報管理処理を実行する。
【０１０９】
（ステップＳ４００−２３）
ＣＰＵ１００ａは、第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８等の各種表示器（ＬＥＤ）を点灯制御するためのコモンデータをコモン出力バッファにセット（出力ポートバッファに格納）するＬＥＤ表示設定処理を実行する。
【０１１０】
（ステップＳ４００−２５）
ＣＰＵ１００ａは、開閉体６３を開閉動作させるためのソレノイドＳＯＬ１、及び開閉体６４Ｂを開閉動作させるためのソレノイドＳＯＬ２のソレノイド出力イメージを合成し、出力ポートバッファにセット（出力ポートバッファに格納）するためのソレノイド出力イメージ合成処理を実行する。
【０１１１】
（ステップＳ４００−２７）
ＣＰＵ１００ａは、各出力ポートバッファに格納されたコモン出力バッファの値を出力ポートに出力するためのポート出力処理を実行する（ステップＳ４００−５のダイナミックポート出力処理で出力されるものを除く）。
【０１１２】
（ステップＳ４００−２９）
ＣＰＵ１００ａは、レジスタを復帰してタイマ割込み処理を終了する。
以下、上記したタイマ割込み処理のうち、ステップＳ５００のスイッチ管理処理、ステップＳ６００の特図遊技管理処理について詳細に説明する。
【０１１３】
［スイッチ管理処理］
図１５は、主制御回路１００におけるスイッチ管理処理（ステップＳ５００）を説明するフローチャートである。
【０１１４】
（ステップＳ５００−１）
ＣＰＵ１００ａは、ゲート検出スイッチＳＷ５がオンしたか、即ち、通過ゲート６８への遊技球の通過に基づいてゲート検出スイッチＳＷ５からの検出信号が入力したかを判定する。判定の結果、検出信号の入力があった場合にはステップＳ５１０に処理を移し、入力が無い場合にはステップＳ５００−３に処理を移す。
【０１１５】
（ステップＳ５１０）
ＣＰＵ１００ａは、通過ゲート６８への遊技球の通過に基づいてゲート通過処理を実行する。ここで、ゲート通過処理とは、前述の普図当否判定乱数を取得するとともに、現在の普図保留数Ｘ３が普図保留記憶領域に記憶可能な保留数の上限未満であることを条件として、取得した普図当否判定乱数を第１記憶部〜第４記憶部のいずれかに記憶する処理である。なお、該記憶した旨を演出表示部５０Ａにより表示する等、演出表示部により制御する場合は、普図保留記憶領域に記憶されている普図保留数Ｘ３を示す普図保留指定コマンドを送信バッファにセット（送信バッファに格納）する。また、当該処理の実行によりＳ４００−５の処理によって普図保留数Ｘ３の上限数と対応して複数設けられた普通図柄保留表示装置３８の保留表示部の対応箇所が点灯する。
【０１１６】
（ステップＳ５００−３）
ＣＰＵ１００ａは、第１始動口検出スイッチＳＷ１がオンしたか、即ち、第１始動部品６０への遊技球の入球に基づいて第１始動口検出スイッチＳＷ１からの検出信号が入力したかを判定する。判定の結果、検出信号の入力があった場合にはステップＳ５２０に処理を移し、入力が無い場合にはステップＳ５００−５に処理を移す。
【０１１７】
（ステップＳ５２０）
ＣＰＵ１００ａは、第１始動部品６０への遊技球の入球に基づいて第１始動口通過処理を実行する。なお、この第１始動口通過処理の詳細については、図１６を参照して後述する。
【０１１８】
（ステップＳ５００−５）
ＣＰＵ１００ａは、第２始動口検出スイッチＳＷ２がオンしたか、即ち、第２始動部品６２への遊技球の入球に基づいて第２始動口検出スイッチＳＷ２からの検出信号が入力したかを判定する。判定の結果、検出信号の入力があった場合にはステップＳ５３０に処理を移し、入力が無い場合にはステップＳ５００−７に処理を移す。
【０１１９】
（ステップＳ５３０）
ＣＰＵ１００ａは、第２始動部品６２への遊技球の入球に基づいて第２始動口通過処理を実行する。なお、この第２始動口通過処理の詳細については、図１７を参照して後述する。
【０１２０】
（ステップＳ５００−７）
ＣＰＵ１００ａは、大入賞口検出スイッチＳＷ３がオンしたか、即ち、大入賞部品６４への遊技球の入球に基づいて大入賞口検出スイッチＳＷ３からの検出信号が入力したかを判定する。判定の結果、大入賞口検出スイッチＳＷ３からの検出信号が入力した場合にはステップＳ５００−９に処理を移し、入力が無い場合には当該スイッチ管理処理を終了する。
【０１２１】
（ステップＳ５００−９）
ＣＰＵ１００ａは、現在、特別遊技中であるか否かを判定し、大入賞部品６４への遊技球の入球が適正になされたものであるかを判定する。ここでは、特別遊技中ではないと判定した場合には、所定の不正検出処理（例えば、不正検出であることを演出表示部５０Ａ、スピーカユニット８、ＬＥＤ５７等により報知する）を実行し、特別遊技中であり、大入賞部品６４への遊技球の入球が適正になされたと判定した場合には、大入賞口入賞球数カウンタを１加算して、当該スイッチ管理処理を終了する。
【０１２２】
［第１始動口通過処理］
図１６は、主制御回路１００における第１始動口通過処理（ステップＳ５２０）を説明するフローチャートである。
【０１２３】
（ステップＳ５２０−１）
ＣＰＵ１００ａは、特別図柄識別値として「００Ｈ」をセットする。ここで、特別図柄識別値とは、保留種別が特１保留および特２保留のいずれであるかを識別するためのものであり、例えば特別図柄識別値（００Ｈ）は特１保留を示し、特別図柄識別値（０１Ｈ）は特２保留を示す。
【０１２４】
（ステップＳ５２０−３）
ＣＰＵ１００ａは、特別図柄１保留球数カウンタのアドレスをセットする。
【０１２５】
（ステップＳ５３５）
ＣＰＵ１００ａは、特別図柄乱数取得処理を実行して、当該第１始動口通過処理を終了する。なお、この特別図柄乱数取得処理は、第２始動口通過処理（ステップＳ５３０）と共通のモジュールを利用して実行される。したがって、特別図柄乱数取得処理の詳細は、第２始動口通過処理の説明後に説明する。
【０１２６】
［第２始動口通過処理］
図１７は、主制御回路１００における第２始動口通過処理（ステップＳ５３０）を説明するフローチャートである。
【０１２７】
（ステップＳ５３０−１）
ＣＰＵ１００ａは、特別図柄識別値として「０１Ｈ」をセットする。
【０１２８】
（ステップＳ５３０−３）
ＣＰＵ１００ａは、特別図柄２保留球数カウンタのアドレスをセットする。
【０１２９】
（ステップＳ５３５）
ＣＰＵ１００ａは、後述する特別図柄乱数取得処理を実行する。
【０１３０】
（ステップＳ５３０−５）
ＣＰＵ１００ａは、普図遊技管理フェーズをロードする。ここで、普図遊技管理フェーズは、普通図柄変動待ち処理の実行を示す「００Ｈ」、普通図柄変動中処理の実行を示す「０１Ｈ」、普通図柄停止後処理の実行を示す「０２Ｈ」、普通電動役物入賞口開放前処理の実行を示す「０３Ｈ」、普通電動役物入賞口開放制御処理の実行を示す「０４Ｈ」、普通電動役物入賞口閉鎖有効処理の実行を示す「０５Ｈ」、及び普通電動役物入賞口終了ウェイト処理の実行を示す「０６Ｈ」からなる普図遊技の実行処理の段階、すなわち、普図遊技の進行状況を示すものであり、普図遊技の実行処理の段階に応じて前述のＳ７００における普図遊技管理処理によって更新される。
【０１３１】
例えば普図遊技管理フェーズが普通図柄変動待ち処理の実行を示す「００Ｈ」である場合には、前述の普図記憶領域の普図保留数（Ｘ３）が１以上であることを条件として、前述の普図当否判定テーブルＴＢを用いた普図当否抽選、及び前述の普図変動パターン決定テーブルＴＢを用いた普図変動パターン決定抽選を実行して、決定された普通図柄の変動時間をタイマにセットする。また、普図遊技管理フェーズが普通図柄変動中処理の実行を示す「０１Ｈ」である場合には、上記タイマにセットされた普通図柄の変動時間が経過したことに応じて、普通図柄の停止態様を決定するとともに停止時間を設定し、普通図柄の変動を停止させる。また、普図遊技管理フェーズが普通図柄停止後処理の実行を示す「０２Ｈ」である場合には、上記停止時間経過後に普図当否抽選の結果を確認し、「当り」であることを条件として、開閉体６３が開放するまでの時間である開放前時間をタイマにセットする。なお、「ハズレ」である場合には、上記普通図柄変動待ち処理（００Ｈ）に復帰する。また、普図遊技管理フェーズが普通電動役物入賞口開放前処理の実行を示す「０３Ｈ」である場合には、上記開放前時間の経過を条件として普電役物入賞口開閉切替処理を実行する。ここで、普電役物入賞口開閉切替処理とは、前述の開放体作動テーブルＴＢに従ってソレノイドＳＯＬ１の制御データ等を抽出する処理である。また、普図遊技管理フェーズが普通電動役物入賞口開放制御処理の実行を示す「０４Ｈ」である場合には、上記制御データに従ってソレノイドＳＯＬ１を通電し、開放体作動テーブルＴＢに規定された開閉体の開閉回数（上限回数）に達するまで開閉体６３を開放するとともに、上限回数に達したことに基づいて開閉体６３を閉鎖する。また、普図遊技管理フェーズが普通電動役物入賞口閉鎖有効処理の実行を示す「０５Ｈ」である場合には、上記開閉体６３が閉鎖してから再び普通図柄変動待ち処理（００Ｈ）が実行されるまでのウェイト時間をタイマにセットする。また、また、普図遊技管理フェーズが普通電動役物入賞口終了ウェイト処理の実行を示す「０６Ｈ」である場合には、上記ウェイト時間が経過したことに基づいて普図遊技管理フェーズを普通図柄変動待ち処理（００Ｈ）に移行させる。
以上のとおり、各普図遊技管理フェーズは、普図遊技の実行処理の段階に応じて切り替わり、主制御回路１００は各普図遊技管理フェーズに応じた処理を実行することにより普図遊技が進行する。
【０１３２】
（ステップＳ５３０−７）
ＣＰＵ１００ａは、上記ステップＳ５３０−５でロードした普図遊技管理フェーズが普通電動役物開放制御状態未満（普図遊技管理フェーズ＜０４Ｈ）であるかを判定する。上述のとおり、普図遊技管理フェーズの「０４Ｈ」は、普通電動役物開放制御処理中であることを示すものである。この普通電動役物開放制御処理においては、ソレノイドＳＯＬ１が通電されて第２始動部品６２に設けられた開閉体６３が開放状態に制御されることから、ここでは、開閉体６３が適正に開放され得る状態にあるかを判定することとなる。
その結果、普通電動役物開放制御状態未満であると判定した場合にはステップＳ５３０−９に処理を移し、普通電動役物開放制御状態未満ではないと判定した場合にはステップＳ５３０−１１に処理を移す。
【０１３３】
（ステップＳ５３０−９）
ＣＰＵ１００ａは、異常入賞があったか否かを判定するとともに、異常入賞があったと判定した場合には、始動口異常入賞エラー処理（例えば、不正検出であることを演出表示部５０Ａ、スピーカユニット８、ＬＥＤ５７等により報知する）を実行し、当該第２始動口通過処理を終了する。
【０１３４】
（ステップＳ５３０−１１）
ＣＰＵ１００ａは、普図遊技管理フェーズが普通電動役物開放制御処理中であることを示す「０４Ｈ」ではないかを判定する。判定の結果、普図遊技管理フェーズが「０４Ｈ」である場合にステップＳ５３０−１３に処理を移し、「０４Ｈ」ではない場合に第２始動口通過処理を終了する。
【０１３５】
（ステップＳ５３０−１３）
ＣＰＵ１００ａは、普通電動役物入賞球数カウンタのカウンタ値を、現在のカウンタ値に「１」加算した値に更新し、当該第２始動口通過処理を終了する。
【０１３６】
［特別図柄乱数取得処理］
図１８は、主制御回路１００における特別図柄乱数取得処理（ステップＳ５３５）を説明するフローチャートである。この特別図柄乱数取得処理は、上記した第１始動口通過処理（ステップＳ５２０）および第２始動口通過処理（ステップＳ５３０）において、共通のモジュールを用いて実行される。
【０１３７】
（ステップＳ５３５−１）
ＣＰＵ１００ａは、上記ステップＳ５２０−１またはステップＳ５３０−１でセットした特別図柄識別値をロードする。
【０１３８】
（ステップＳ５３５−３）
ＣＰＵ１００ａは、対象特別図柄保留球数をロードする。ここでは、上記ステップＳ５３５−１でロードした特別図柄識別値が「００Ｈ」であれば、特別図柄１保留球数カウンタのカウンタ値、すなわち、特１保留数（Ｘ１）をロードする。また、上記ステップＳ５３５−１でロードした特別図柄識別値が「０１Ｈ」であれば、特別図柄２保留球数カウンタのカウンタ値、すなわち、特２保留数（Ｘ２）をロードする。
【０１３９】
（ステップＳ５３５−５）
ＣＰＵ１００ａは、ハードウェア乱数生成部によって更新された特図当否判定乱数をロードする。
【０１４０】
（ステップＳ５３５−７）
ＣＰＵ１００ａは、上記ステップＳ５３５−３でロードした対象特別図柄保留球数（特１保留数（Ｘ１）又は特２保留数（Ｘ２）が上限値の４以上であるかを判定する。その結果、上限値以上であると判定した場合には、特別図柄乱数取得処理を終了し、上限値以上ではないと判定した場合には、ステップＳ５３５−９に処理を移す。
【０１４１】
（ステップＳ５３５−９）
ＣＰＵ１００ａは、対象となる特別図柄保留球数カウンタ（特別図柄１保留球数カウンタ又は特別図柄２保留球数カウンタ）のカウンタ値を、現在のカウンタ値に「１」加算した値に更新する。
【０１４２】
（ステップＳ５３５−１１）
ＣＰＵ１００ａは、特図保留記憶領域の記憶部のうち、取得した特図当否判定乱数をセーブする対象となる対象記憶部（第１記憶部〜第４記憶部）を算定する。
【０１４３】
（ステップＳ５３５−１３）
ＣＰＵ１００ａは、上記ステップＳ５３５−５でロードした特図当否判定乱数、上記ステップＳ４００−１３で更新された特図種別決定乱数、上記ステップＳ１００−４３で更新された変動パターン決定乱数を取得し、上記ステップＳ５３５−１１で算定した対象記憶部に格納する。
【０１４４】
（ステップＳ５４０）
ＣＰＵ１００ａは、上記ステップＳ５３５−１３で対象記憶部に格納した各種の乱数に基づいて、取得時事前判定処理を実行する。当該取得時事前判定処理については後述する。
【０１４５】
（ステップＳ５３５−１５）
ＣＰＵ１００ａは、特別図柄１保留球数カウンタおよび特別図柄２保留球数カウンタのカウンタ値をロードする。
【０１４６】
（ステップＳ５３５−１７）
ＣＰＵ１００ａは、上記ステップＳ５３５−１５でロードしたカウンタ値に基づいて、特図保留指定コマンドを送信バッファにセット（送信バッファに格納）し、当該特別図柄乱数取得処理（ステップＳ５３５）を終了する。ここでは、特別図柄１保留球数カウンタのカウンタ値（特１保留数）に基づいて特図１保留指定コマンドをセットし、特別図柄２保留球数カウンタのカウンタ値（特２保留数）に基づいて特図２保留指定コマンドをセットする。
【０１４７】
当該特図１保留指定コマンド又は特図２保留指定コマンドが演出制御回路２００側に送信されると、演出制御回路２００は、演出表示部５０Ａの一部領域に表示される前述の保留表示画像の数を増大させる制御を実行する。よって、遊技者は現在の特１保留数及び特２保留数を視認，認識することが可能となる。また、当該処理の実行によりＳ４００−５の処理によって特図保留数（Ｘ１）、及び特図保留数（Ｘ２）の上限数と対応して複数設けられた第１特別図柄保留表示装置３６Ａ、第２特別図柄保留表示装置３６Ｂの保留表示部の対応箇所が点灯する。
【０１４８】
［取得時事前判定処理］
図１９は、上述の取得時事前判定処理（ステップＳ５４０）を説明するフローチャートである。
（ステップＳ５４０−１）
ＣＰＵ１００ａは、遊技状態が特図低確率であるか特図高確率であるかを識別する後述の特別図柄確率状態フラグをロードし、遊技状態に応じて低確率用特図当否判定テーブルＴＢ１、又は高確率用特図当否判定テーブルＴＢ２をセットするとともに、当該テーブルと上記ステップＳ５３５−１３で取得した特図当否判定乱数とに基づいて、上記新たに記憶された特１保留又は特２保留について事前特図当否抽選処理を実行して処理を移す。
【０１４９】
（ステップＳ５４０−３）
ＣＰＵ１００ａは、事前特図当否抽選の結果が「当り」であるかを判定する。判定の結果「当り」である場合、ステップＳ５４０−５に処理を移し、「当り」でない場合（「ハズレ」である場合）、ステップＳ５４０−７に処理を移す。
【０１５０】
（ステップＳ５４０−５）
ＣＰＵ１００ａは、特別図柄識別値をロードして、保留種別が特１保留および特２保留のいずれであるかを識別するとともに、保留種別に応じて特図種別決定テーブルＴＢ１又は特図種別決定テーブルＴＢ２をセットするとともに、当該テーブルと上記ステップＳ５３５−１３で取得した特図種別決定乱数とに基づいて、新たに記憶された特１保留又は特２保留について事前特図種別決定処理を実行して処理を移す。
【０１５１】
（ステップＳ５４０−７）
ＣＰＵ１００ａは、遊技状態が特図低確率であるか特図高確率であるかを識別する後述の特別図柄確率状態フラグ、及び遊技状態が普図低確率であるか普図高確率であるかを識別する後述の特別図柄確率状態フラグをロードし、遊技状態に応じて変動パターン決定テーブルＴＢ１，ＴＢ２のいずれかをセットするとともに、当該テーブルと、上記ステップＳ５４０−１で決定した事前特図当否抽選の結果、上記ステップＳ５３５−１３で取得した変動パターン決定乱数とに基づいて、新たに記憶された特１保留又は特２保留について事前特図変動パターン決定抽選処理を実行して処理を移す。
【０１５２】
（ステップＳ５４０−９）
ＣＰＵ１００ａは、上記ステップＳ５４０−１の事前特図当否抽選処理における抽選結果（「当り」又は「ハズレ」）に係る情報、上記ステップＳ５４０−７の事前特図変動パターン決定処理で決定した変動パターン番号及び変動時間に係る情報を含む事前判定コマンドを送信バッファにセット（送信バッファに格納）し、当該取得時事前判定処理を終了する。
【０１５３】
なお、事前判定コマンドには、変動パターン番号及び変動時間に関する情報について２通りの内容が含まれる場合がある。図６（ａ），（ｂ）に示すように、変動パターン番号は、現在の保留記憶数（変動開始直前の保留記憶数）によって変化する可能性があるため、上記事前特図変動パターン決定抽選においては、いかなる変動パターン番号となるかを確定することができない。例えば、図６（ａ）の変動パターン決定テーブルＴＢ１では、事前特図当否抽選の結果が「ハズレ」であり、変動パターン決定乱数が例えば「１９」である場合、前述の特図変動パターン決定抽選において、保留記憶数に応じて変動パターン番号「００Ｈ」及び「０３Ｈ」のいずれかに決定されることとなる。このような場合には、事前判定コマンドを変動パターン番号「００Ｈ」と当該番号に対応する変動時間情報、及び変動パターン番号「０３Ｈ」と当該番号に対応する変動時間情報の２通りの情報を含むように送信する。
【０１５４】
このように、取得時事前判定処理は、後述の特別図柄変動待ち処理が実行される以前に、換言すれば始動情報の取得と同時に特図当否抽選の結果や、変動パターン番号を判定し、これらの情報を演出制御回路２００側に事前に伝達する処理である。また、演出制御回路２００のＲＡＭ２００ｃには、第１特図保留記憶領域の第１記憶部乃至第４記憶部、及び第２特図保留記憶領域の第１記憶部乃至第４記憶部とそれぞれ対応する記憶部を備えた事前判定情報記憶領域が設けられており、事前判定コマンドに含まれる情報（事前判定情報）は、第１特図保留記憶領域に記憶された特１保留、及び第２特図保留記憶領域に記憶された特２保留と対応付けて（紐付けて）順に記憶される。
また、取得時事前判定処理によって、演出制御回路２００側に事前判定コマンドが送信されることにより、演出制御回路２００側では、事前判定コマンドに含まれる情報に基づいて、当該事前判定コマンドが生成される対象となった特１保留又は特２保留に基づく後述の特別図柄変動待ち処理が実行されるよりも前に、特図当否抽選の結果や、変動演出パターンを示唆する所定の演出（先読み演出）を演出表示部５０Ａ上に事前に表示することが可能となる。
【０１５５】
図２０は、特図遊技管理フェーズを説明する図である。上述のとおり、本実施形態では、第１始動部品６０又は第２始動部品６２への遊技球の入球を契機とする特別遊技の可否に関する種々の抽選処理（特図遊技）と、通過ゲート６８への遊技球の通過を契機とする普通遊技の可否に関する種々の抽選処理（普図遊技）とが、同時並行して進行する。
そして、特図遊技は、遊技球が第１始動部品６０又は第２始動部品６２へ入球する度に段階的に、かつ、繰り返し実行されるが、主制御回路１００では、特図遊技に係る各処理を特図遊技管理フェーズによって管理している。
【０１５６】
図２０に示すように、ＲＯＭ１００ｂには、特図遊技を実行制御するための複数の特図遊技制御モジュールが格納されており、これら特図遊技制御モジュールごとに、特図遊技管理フェーズが対応付けられている。具体的には、特図遊技管理フェーズが「００Ｈ」である場合には、「特別図柄変動待ち処理」を実行するためのモジュールがコールされ、特図遊技管理フェーズが「０１Ｈ」である場合には、「特別図柄変動中処理」を実行するためのモジュールがコールされ、特図遊技管理フェーズが「０２Ｈ」である場合には、「特別図柄停止後処理」を実行するためのモジュールがコールされ、特図遊技管理フェーズが「０３Ｈ」である場合には、「大入賞口開放前処理」を実行するためのモジュールがコールされ、特図遊技管理フェーズが「０４Ｈ」である場合には、「大入賞口開放制御処理」を実行するためのモジュールがコールされ、特図遊技管理フェーズが「０５Ｈ」である場合には、「大入賞口閉鎖有効処理」を実行するためのモジュールがコールされ、特図遊技管理フェーズが「０６Ｈ」である場合には、「大入賞口終了ウェイト処理」を実行するためのモジュールがコールされる。
【０１５７】
［特図遊技管理処理］
図２１は、主制御回路１００における特図遊技管理処理（ステップＳ６００）を説明するフローチャートである。
【０１５８】
（ステップＳ６００−１）
ＣＰＵ１００ａは、特図遊技管理フェーズをロードする。
【０１５９】
（ステップＳ６００−３）
ＣＰＵ１００ａは、上記ステップＳ６００−１でロードした特図遊技管理フェーズに対応する特図遊技制御モジュールを選択する。
【０１６０】
（ステップＳ６００−５）
ＣＰＵ１００ａは、上記ステップＳ６００−３で選択した特図遊技制御モジュールをコールして処理を開始する。
【０１６１】
（ステップＳ６００−７）
ＣＰＵ１００ａは、特図遊技に係る制御時間を管理する特図遊技タイマをロードし、当該特図遊技管理処理を終了する。
【０１６２】
［特別図柄変動待ち処理］
図２２は、主制御回路１００における特別図柄変動待ち処理を説明するフローチャートである。この特別図柄変動待ち処理は、特図遊技管理フェーズが「００Ｈ」であった場合に実行される。
【０１６３】
（ステップＳ６１０−１）
ＣＰＵ１００ａは、特別図柄２保留球数カウンタのカウンタ値、すなわち、特２保留数（Ｘ２）が「１」以上であるかを判定する。その結果、特２保留数（Ｘ２）が「１」以上であると判定した場合にはステップＳ６１０−７に処理を移し、特２保留数（Ｘ２）が「１」以上ではないと判定した場合にはステップＳ６１０−３に処理を移す。
【０１６４】
（ステップＳ６１０−３）
ＣＰＵ１００ａは、特別図柄１保留球数カウンタのカウンタ値、すなわち、特１保留数（Ｘ１）が「１」以上であるかを判定する。その結果、特１保留数（Ｘ１）が「１」以上であると判定した場合にはステップＳ６１０−７に処理を移し、特１保留数（Ｘ１）が「１」以上ではないと判定した場合にはステップＳ６１０−５に処理を移す。
【０１６５】
（ステップＳ６１０−５）
ＣＰＵ１００ａは、客待ちコマンドを送信バッファにセット（送信バッファに格納）する客待ち設定処理を実行し、当該特別図柄変動待ち処理を終了する。当該客待ちコマンドが演出制御回路２００側に送信されると、演出制御回路２００は、当該客待ちコマンドの受信から所定の時間が経過したことに基づいて、ＶＤＰに所定のコマンドを送信し、演出表示部５０Ａ上において、客待ち状態であることを示すデモ演出表示を表示させる。
【０１６６】
（ステップＳ６１０−７）
ＣＰＵ１００ａは、特１保留または特２保留に対応する対象特別図柄保留球数カウンタのカウンタ値を「１」減算し、特１保留または特２保留が「１」減算したことを示す保留減指定コマンドを送信バッファにセット（送信バッファに格納）するとともに、第２特図保留記憶領域の第１記憶部〜第４記憶部に記憶されている特２保留、または、第１特図保留記憶領域の第１記憶部〜第４記憶部に記憶されている特１保留を、１つ序数の小さい記憶部にブロック転送する。
具体的には、ＲＡＭ１００ｃには、処理対象となる第０記憶部が設けられており、上記ステップＳ６１０−１において、特２保留球数が「１」以上であると判定した場合には、第２特図保留記憶領域の第１記憶部〜第４記憶部に記憶されている特２保留を、第０記憶部〜第３記憶部に転送するとともに、第４記憶部をクリア処理する。
また、上記ステップＳ６１０−３において、特１保留球数が「１」以上であると判定した場合には、第１特図保留記憶領域の第１記憶部〜第４記憶部に記憶されている特１保留を、第０記憶部〜第３記憶部に転送するとともに、第４記憶部をクリア処理する。
また、特別図柄確率状態フラグ及び普通図柄確率状態フラグの情報に基づいて遊技状態確認指定コマンドを送信バッファにセット（送信バッファに格納）する。
【０１６７】
保留減指定コマンドが演出制御回路２００側に送信されると、演出制御回路２００は、前述の特図１保留指定コマンド又は特図２保留指定コマンドに基づいて増大した前述の保留表示画像の数を減少させるコマンドをＶＤＰに送信し、演出表示部５０Ａ上において、減少後の特１保留数及び特２保留数を遊技者に視認，認識可能とする。
また、演出制御回路２００は、保留減指定コマンドに基づいて、第１特図保留記憶領域の第１記憶部〜第４記憶部、又は第２特図保留記憶領域の第１記憶部〜第４記憶部とそれぞれ対応付けられた事前判定情報を１つ序数の小さい記憶部にブロック転送する。
また、当該処理の実行によりＳ４００−５の処理によって第１特別図柄保留表示装置３６Ａ、第２特別図柄保留表示装置３６Ｂいずれかの保留表示部の対応箇所が消灯する。
また、遊技状態確認指定コマンドが演出制御回路２００側に送信されると、特別図柄が変動を開始するたびに現在の遊技状態に係る情報が演出制御回路２００側に伝達される。
【０１６８】
（ステップＳ６１０−９）
ＣＰＵ１００ａは、保留種別、特図低確率であるか特図低確率であるかを識別する特別図柄確率状態フラグ、及び第０記憶部に転送された特図当否判定乱数をロードし、これに対応する低確率用特図当否判定テーブルＴＢ１又は高確率用特図当否判定テーブルＴＢ２を選択して特図当否抽選処理を行い、その抽選結果（「当り」，「ハズレ」）に係るデータ（特図当否判定データ）を記憶する。
【０１６９】
（ステップＳ６１０−１１）
ＣＰＵ１００ａは、特図種別を決定するための特図種別決定処理を実行する。ここでは、上記ステップＳ６１０−９の特図当否抽選の結果が「当り」であった場合には、保留種別、第０記憶部に転送された特図種別決定乱数をロードし、これに対応する特図種別決定テーブルＴＢ１，ＴＢ２のいずれかを選択して特図種別を抽出し、抽出した特図種別に係るデータ（特図種別データ）を記憶する。一方、ステップＳ６１０−９の特図当否抽選の結果が「ハズレ」であった場合には、特図種別決定テーブルＴＢ３から特別図柄Ｘ（ハズレ図柄Ｘ）に係る特図種別が抽出され、特別図柄Ｘに係る特図種別データが記憶される。
特図種別データを記憶した後、当該特図種別データに対応する特図種別指定コマンドを送信バッファにセット（送信バッファに格納）する。即ち、当該特図種別指定コマンドが送信されることによって、演出制御回路２００側には、特図種別決定処理の度に、抽出された特図種別に関する情報が伝達される。
【０１７０】
（ステップＳ６１０−１３）
ＣＰＵ１００ａは、上記ステップＳ６１０−１１で抽出した特図種別に対応する特別図柄停止図柄番号をセーブする。なお、第１特別図柄表示装置３５Ａおよび第２特別図柄表示装置３５Ｂは、それぞれ７セグで構成されており、７セグを構成する各セグメントには番号（カウンタ値）が対応付けられている。ここで決定する特別図柄停止図柄番号は、最終的に点灯するセグメントの番号（カウンタ値）を示すものである。
【０１７１】
（ステップＳ６１０−１４）
ＣＰＵ１００ａは、特別図柄の変動パターンを決定するための特図変動パターン決定抽選を実行する。具体的には、普図低確率であるか普図高確率であるかを識別する普通図柄確率状態フラグをロードし、図６に例示した変動パターン決定テーブルＴＢ１，ＴＢ２のいずれかを参照して、変動パターン番号を抽出，決定する。具体的には、特図当否抽選の結果、保留記憶数及び変動パターン決定乱数に基づいて、変動パターン番号を抽出，決定する。ＣＰＵ１００ａは、いずれかの変動パターン決定テーブルＴＢから抽出，決定した変動パターン番号を含む変動パターンコマンドを送信バッファにセット（送信バッファに格納）する。変動パターンコマンドが演出制御回路２００側に送信されることによって、演出制御回路２００側では、各変動パターンコマンドの内容に従って、より具体的な変動演出の内容を決定し、当該決定された変動演出の内容に関する情報を含むコマンドをＶＤＰに送信することにより、演出図柄Ｓの変動表示と併せて多様な変動演出を演出表示部５０Ａ上に表示させる。
【０１７２】
（ステップＳ６１０−１５）
ＣＰＵ１００ａは、ステップＳ６１０−１４で抽出された変動パターン番号に対応する変動時間をロードし、特別図柄変動タイマにセットする。
【０１７３】
（ステップＳ６１０−１７）
ＣＰＵ１００ａは、上記ステップＳ６１０−９における特図当否抽選の結果が「当り」であるか否かを判定し、「当り」であった場合には、上記ステップＳ６１０−１１で記憶した特図種別データをロードして、特別図柄の種別を確認する。そして、図８に示す遊技状態設定テーブルＴＢを参照して、特別遊技終了後に設定される遊技状態、及びその特図高確回数，普図高確回数を判定し、その判定結果を遊技状態予備フラグ（特別図柄確率状態予備フラグ，普通図柄確率状態予備フラグ）、及び特図高確回数切り予備カウンタ、普図高確回数切り予備カウンタそれぞれセーブする。
【０１７４】
（ステップＳ６１０−１９）
ＣＰＵ１００ａは、第１特別図柄表示装置３５Ａまたは第２特別図柄表示装置３５Ｂにおいて、特別図柄の変動表示を開始するために、特別図柄表示図柄カウンタを設定する処理を実行する。第１特別図柄表示装置３５Ａおよび第２特別図柄表示装置３５Ｂを構成する７セグの各セグメントにはカウンタ値が対応付けられており、特別図柄表示図柄カウンタに設定されたカウンタ値に対応するセグメントが点灯制御される。ここでは、特別図柄の変動表示の開始時に点灯させるセグメントに対応するカウンタ値が特別図柄表示図柄カウンタに設定されることとなる。なお、特別図柄表示図柄カウンタは、第１特別図柄表示装置３５Ａに対応する特別図柄１表示図柄カウンタと、第２特別図柄表示装置３５Ｂに対応する特別図柄２表示図柄カウンタとが別個に設けられており、ここでは、保留種別に対応するカウンタにカウンタ値が設定される。
【０１７５】
（ステップＳ６１０−２１）
ＣＰＵ１００ａは、特図遊技管理フェーズを「０１Ｈ」に更新し、当該特別図柄変動待ち処理を終了する。そして、当該一連の特別図柄変動待ち処理が実行されることにより、第１特別図柄表示装置３５Ａ又は第２特別図柄表示装置３５Ｂ上において特別図柄の変動表示が開始されるとともに、当該特別図柄の変動表示と略同期して演出表示部５０Ａ上において演出図柄Ｓの変動表示が開始されることとなる。
【０１７６】
［特別図柄変動中処理］
図２３は、主制御回路１００における特別図柄変動中処理を説明するフローチャートである。当該特別図柄変動中処理は、特図遊技管理フェーズが「０１Ｈ」であった場合に実行される。
【０１７７】
（ステップＳ６２０−１）
ＣＰＵ１００ａは、特別図柄変動ベースカウンタを更新する処理を実行する。なお、特別図柄変動ベースカウンタは、所定周期（例えば１００ｍｓ）で１周するようにカウンタ値が設定される。具体的には、特別図柄変動ベースカウンタのカウンタ値が「０」であった場合には、所定のカウンタ値（例えば２５）がセットされ、カウンタ値が「１」以上であった場合には、現在のカウンタ値から「１」減算した値にカウンタ値を更新する。
【０１７８】
（ステップＳ６２０−３）
ＣＰＵ１００ａは、上記ステップＳ６２０−１で更新した特別図柄変動ベースカウンタのカウンタ値が「０」であるかを判定する。その結果、カウンタ値が「０」であった場合にはステップＳ６２０−５に処理を移し、カウンタ値が「０」ではなかった場合にはステップＳ６２０−９に処理を移す。
【０１７９】
（ステップＳ６２０−５）
ＣＰＵ１００ａは、上記ステップＳ６１０−１５で設定された特別図柄変動タイマのタイマ値を所定値減算する特別図柄変動タイマ更新処理を行う。
【０１８０】
（ステップＳ６２０−７）
ＣＰＵ１００ａは、上記ステップＳ６２０−５で更新した特別図柄変動タイマのタイマ値が「０」であるかを判定する。その結果、タイマ値が「０」であった場合にはステップＳ６２０−１５に処理を移し、タイマ値が「０」ではなかった場合にはステップＳ６２０−９に処理を移す。
【０１８１】
（ステップＳ６２０−９）
ＣＰＵ１００ａは、第１特別図柄表示装置３５Ａ、及び第２特別図柄表示装置３５Ｂを構成する７セグの各セグメントの点灯時間を計時する特別図柄表示タイマを更新する。具体的には、特別図柄表示タイマのタイマ値が「０」であった場合には、所定のタイマ値がセットされ、タイマ値が「１」以上であった場合には、現在のタイマ値から「１」減算した値にタイマ値を更新する。
【０１８２】
（ステップＳ６２０−１１）
ＣＰＵ１００ａは、特別図柄表示タイマのタイマ値が「０」であるかを判定する。その結果、特別図柄表示タイマのタイマ値が「０」であると判定した場合にはステップＳ６２０−１３に処理を移し、特別図柄表示タイマのタイマ値が「０」でないと判定した場合には当該特別図柄変動中処理を終了する。
【０１８３】
（ステップＳ６２０−１３）
ＣＰＵ１００ａは、更新対象の特別図柄表示図柄カウンタのカウンタ値を更新する。これにより、７セグを構成する各セグメントが、所定時間おきに順次点灯することとなる。
【０１８４】
（ステップＳ６２０−１５）
ＣＰＵ１００ａは、特図遊技管理フェーズを「０２Ｈ」に更新する。
【０１８５】
（ステップＳ６２０−１７）
ＣＰＵ１００ａは、対象の特別図柄表示図柄カウンタに、上記ステップＳ６１０−１３で決定した特別図柄停止図柄番号（カウンタ値）をセーブする。これにより、第１特別図柄表示装置３５Ａまたは第２特別図柄表示装置３５Ｂに、決定された特別図柄が停止表示されることとなる。
【０１８６】
（ステップＳ６２０−１９）
ＣＰＵ１００ａは、第１特別図柄表示装置３５Ａまたは第２特別図柄表示装置３５Ｂに特別図柄が停止表示されたことを示す特図停止指定コマンドを送信バッファにセット（送信バッファに格納）する。当該特図停止指定コマンドが演出制御回路２００側に送信されることにより、演出制御回路２００は、ＶＤＰに所定のコマンドを送信し、演出表示部５０Ａ上において変動中の演出図柄Ｓを特別図柄の停止表示と略同期して停止表示させる。
【０１８７】
（ステップＳ６２０−２１）
ＣＰＵ１００ａは、特別図柄を停止表示する時間である特別図柄変動停止時間（確定時間）を特別遊技タイマにセットし、当該特別図柄変動中処理を終了する。
【０１８８】
［特別図柄停止後処理］
図２４は、主制御回路１００における特別図柄停止後処理を説明するフローチャートである。この特別図柄停止後処理は、特図遊技管理フェーズが「０２Ｈ」であった場合に実行される。
【０１８９】
（ステップＳ６３０−１）
ＣＰＵ１００ａは、上記ステップＳ６２０−２１でセットした特別遊技タイマのタイマ値が「０」でないかを判定する。その結果、特別遊技タイマのタイマ値が「０」ではないと判定した場合には当該特別図柄停止後処理を終了し、特別遊技タイマのタイマ値が「０」であると判定した場合にはステップＳ６３０−３に処理を移す。
【０１９０】
（ステップＳ６３０−３）
ＣＰＵ１００ａは、特図当否抽選の結果を確認する。
【０１９１】
（ステップＳ６３０−５）
ＣＰＵ１００ａは、特図当否抽選の結果が「当り」であるかを判定する。その結果、「当り」であると判定した場合にはステップＳ６３０−１７に処理を移し、「当り」ではないと判定した場合にはステップＳ６３０−７に処理を移す。
【０１９２】
（ステップＳ６３０−７）
ＣＰＵ１００ａは、回数切り管理処理を実行する。ここでは、特別図柄確率状態フラグをロードして、現在の遊技状態が特図低確率であるか特図高確率であるかを確認する。そして、遊技状態が特図高確率であった場合には、特図高確回数切りカウンタのカウンタ値を、現在のカウンタ値から「１」減算した値に更新する。なお、特図高確回数切りカウンタを更新した結果、カウンタ値が「０」になった場合には、特図低確率に対応する特別図柄確率状態フラグをセットする。これにより、特図高確率の遊技状態において、「当り」に当選することなく、特別図柄が所定回数確定したところで、遊技状態が特図高確率から特図低確率に移行することとなる。
【０１９３】
また、ここでは、遊技状態が普図低確率であるか普図高確率であるかを識別するための普通図柄確率状態フラグをロードして、現在の遊技状態が普図低確率であるか普図高確率であるかを確認する。そして、遊技状態が普図高確率であった場合には、普図高確回数切りカウンタのカウンタ値を、現在のカウンタ値から「１」減算した値に更新する。なお、普図高確回数切りカウンタを更新した結果、カウンタ値が「０」になった場合には、普図低確率に対応する普通図柄確率状態フラグをセットする。これにより、普図高確率の遊技状態において、「当り」に当選することなく、特別図柄が所定回数確定したところで、遊技状態が普図高確率から普図低確率に移行することとなる。なお、当該ステップＳ６３０−７において、遊技状態の移行が行われた場合には、ＣＰＵ１００ａは、移行後の遊技状態を演出制御回路２００に伝達するための遊技状態変化指定コマンドを送信バッファにセット（送信バッファに格納）する。
【０１９４】
（ステップＳ６３０−９）
ＣＰＵ１００ａは、特別図柄が確定したときの遊技状態を示す特図確定時遊技状態確認指定コマンドを送信バッファにセット（送信バッファに格納）する。
【０１９５】
（ステップＳ６３０−１１）
ＣＰＵ１００ａは、上記ステップＳ６３０−７で更新した特図高確回数および普図高確回数を演出制御回路２００に伝達するための回数コマンドを送信バッファにセット（送信バッファに格納）する。即ち、上記ステップＳ６３０−１１，ステップＳ６３０−１３の処理によって、特別図柄が確定する度に、その時点の遊技状態、及び特図高確回数および普図高確回数が演出制御回路２００側に伝達される。
【０１９６】
（ステップＳ６３０−１３）
ＣＰＵ１００ａは、特図遊技管理フェーズを「００Ｈ」に更新し、当該特別図柄停止後処理を終了する。これにより、１の特１保留又は特２保留（始動情報）に基づく特図遊技管理処理が終了し、特１保留または特２保留が記憶されている場合には、次の保留に基づく特別図柄の変動表示を開始するための処理が行われることとなる。
【０１９７】
（ステップＳ６３０−１５）
ＣＰＵ１００ａは、確定した特図種別に応じて、図７に示す特別遊技制御テーブルＴＢに規定されたデータをセットする。
【０１９８】
（ステップＳ６３０−１７）
ＣＰＵ１００ａは、特別電動役物最大作動回数設定処理を行う。具体的には、上記ステップＳ６３０−１７でセットしたデータを参照し、特別電動役物最大作動回数カウンタに、カウンタ値として所定数（特図種別に対応するカウンタ値＝ラウンド数）をセットする。
【０１９９】
なお、この特別電動役物最大作動回数カウンタは、これから開始する特別遊技において実行可能なラウンド数を示すものである。一方、ＲＡＭ１００ｃには、特別電動役物連続作動回数カウンタが設けられており、各ラウンド遊技の開始時に、特別電動役物連続作動回数カウンタのカウンタ値を「１」加算する（後述するステップＳ６４０−３の処理）ことで、現在のラウンド遊技数が管理される。ここでは、特別遊技の開始に伴って、この特別電動役物連続作動回数カウンタのカウンタ値をリセット（「０」に更新）する処理が併せて実行される。
【０２００】
（ステップＳ６３０−１９）
ＣＰＵ１００ａは、上記ステップＳ６３０−１５でセットしたデータを参照し、特別遊技タイマに、タイマ値として所定のオープニング時間をセーブする。
【０２０１】
（ステップＳ６３０−２１）
ＣＰＵ１００ａは、特別遊技の開始を演出制御回路２００に伝達するためのオープニング指定コマンドを送信バッファにセット（送信バッファに格納）する。当該オープニング指定コマンドが送信されることにより演出制御回路２００側では、ＶＤＰに所定のコマンドを送信し、例えば特別遊技の開始に先立って、遊技者にこれから特別遊技が開始されることを報知する所定のオープニング演出および特別遊技中の演出が演出表示部５０Ａ上に表示される。
【０２０２】
（ステップＳ６３０−２３）
ＣＰＵ１００ａは、特図遊技管理フェーズを「０３Ｈ」に更新し、当該特別図柄停止後処理を終了する。これにより、特別遊技が開始されることとなる。
【０２０３】
［大入賞口開放前処理］
図２５は、主制御回路１００における大入賞口開放前処理を説明するフローチャートである。この大入賞口開放前処理は、特図遊技管理フェーズが「０３Ｈ」であった場合に実行される。
【０２０４】
（ステップＳ６４０−１）
ＣＰＵ１００ａは、上記ステップＳ６３０−２１でセットしたタイマ値（オープニング時間）が「０」でないかを判定する。その結果、タイマ値が「０」ではないと判定した場合には当該大入賞口開放前処理を終了し、タイマ値が「０」であると判定した場合にはステップＳ６４０−３に処理を移す。
【０２０５】
（ステップＳ６４０−３）
ＣＰＵ１００ａは、特別電動役物連続作動回数カウンタのカウンタ値を、現在のカウンタ値に「１」加算した値に更新する。
【０２０６】
（ステップＳ６４０−５）
ＣＰＵ１００ａは、大入賞口６４Ａの開放開始（ラウンド遊技の開始）を演出制御回路２００に伝達するための大入賞口開放指定コマンド（具体的には、実行するラウンド（１Ｒ、２Ｒ・・・）を示すコマンド）を送信バッファにセット（送信バッファに格納）する。当該大入賞開放指定コマンドが演出制御回路２００側に送信されることにより、演出制御回路２００は、ＶＤＰに所定のコマンドを送信し、例えば現在のラウンド数に関する表示等を演出表示部５０Ａに表示する。また、特別遊技中に大入賞口検出スイッチＳＷ３を通過した数や特別遊技中に払出制御回路１５０に賞球を指示した数に関する情報（コマンド）を演出制御回路２００に送信することで遊技球の入球数や賞球数に関する表示等を演出表示部５０Ａに表示することもできる。
【０２０７】
（ステップＳ６４１）
ＣＰＵ１００ａは、大入賞口開閉切替処理を実行する。この大入賞口開閉切替処理については後述する。
【０２０８】
（ステップＳ６４０−７）
ＣＰＵ１００ａは、特図遊技管理フェーズを「０４Ｈ」に更新し、当該大入賞口開放前処理を終了する。
【０２０９】
［大入賞口開閉切替処理］
図２６は、主制御回路１００における大入賞口開閉切替処理を説明するフローチャートである。
【０２１０】
（ステップＳ６４１−１）
ＣＰＵ１００ａは、特別電動役物開閉切替回数カウンタのカウンタ値が、特別電動役物開閉切替回数（１回のラウンド遊技中における大入賞口６４Ａの開閉回数）の上限値であるかを判定する（本実施形態では、「１」であるかを判定。図７の特別電動役物開閉切替回数が５回／Ｒであれば「５」、７回／Ｒであれば「７」であるかを判定）。その結果、カウンタ値が上限値であると判定した場合には当該大入賞口開閉切替処理を終了し、カウンタ値が上限値ではないと判定した場合にはステップＳ６４１−３に処理を移す。
【０２１１】
（ステップＳ６４１−３）
ＣＰＵ１００ａは、特別遊技制御テーブルＴＢのデータを参照し、特別電動役物開閉切替回数カウンタのカウンタ値に基づいて、ソレノイドＳＯＬ２を通電制御するためのソレノイド制御データ、および、ソレノイドＳＯＬ２の通電時間もしくは通電停止時間であるタイマデータを抽出する。
【０２１２】
（ステップＳ６４１−５）
ＣＰＵ１００ａは、上記ステップＳ６４１−３で抽出したソレノイド制御データに基づいて、ソレノイドＳＯＬ２の通電を開始するか、もしくは、ソレノイドＳＯＬ２の通電を停止するための大入賞口ソレノイド通電制御処理を実行する。この大入賞口ソレノイド通電制御処理の実行により、上記ステップＳ４００−２５およびステップＳ４００−２７において、ソレノイドＳＯＬ２の通電開始もしくは通電停止の制御がなされることとなる。
【０２１３】
（ステップＳ６４１−７）
ＣＰＵ１００ａは、上記ステップＳ６４１−３で抽出したタイマデータに基づくタイマ値を、特別遊技タイマにセーブする。なお、ここで特別遊技タイマにセーブされるタイマ値は、大入賞口６４Ａの１回の最大開放時間となる。
【０２１４】
（ステップＳ６４１−９）
ＣＰＵ１００ａは、ソレノイドＳＯＬ２の通電開始状態か、すなわち、上記ステップＳ６４１−５において、ソレノイドＳＯＬ２の通電を開始する制御処理がなされたかを判定する。その結果、通電開始状態であると判定した場合にはステップＳ６４１−１１に処理を移し、通電開始状態ではないと判定した場合には当該大入賞口開閉切替処理を終了する。
【０２１５】
（ステップＳ６４１−１１）
ＣＰＵ１００ａは、特別電動役物開閉切替回数カウンタのカウンタ値を、現在のカウンタ値に「１」加算した値に更新し、当該大入賞口開閉切替処理を終了する。
【０２１６】
［大入賞口開放制御処理］
図２７は、主制御回路１００における大入賞口開放制御処理を説明するフローチャートである。この大入賞口開放制御処理は、特図遊技管理フェーズが「０４Ｈ」であった場合に実行される。
【０２１７】
（ステップＳ６５０−１）
ＣＰＵ１００ａは、上記ステップＳ６４１−７でセーブした特別遊技タイマのタイマ値が「０」でないかを判定する。その結果、特別遊技タイマのタイマ値が「０」ではないと判定した場合にはステップＳ６５０−５に処理を移し、特別遊技タイマのタイマ値が「０」であると判定した場合にはステップＳ６５０−３に処理を移す。
【０２１８】
（ステップＳ６５０−３）
ＣＰＵ１００ａは、特別電動役物開閉切替回数カウンタのカウンタ値が、特別電動役物開閉切替回数の上限値であるかを判定する。その結果、カウンタ値が上限値であると判定した場合にはステップＳ６５０−７に処理を移し、カウンタ値は上限値ではないと判定した場合にはステップＳ６４１に処理を移す。
【０２１９】
（ステップＳ６４１）
上記ステップＳ６５０−３において、特別電動役物開閉切替回数カウンタのカウンタ値が、特別電動役物開閉切替回数の上限値ではないと判定した場合には、ＣＰＵ１００ａは、上記ステップＳ６４１の処理を実行する。
【０２２０】
（ステップＳ６５０−５）
ＣＰＵ１００ａは、上記ステップＳ５００−９で更新された大入賞口入賞球数カウンタのカウンタ値が規定数に到達していないか、すなわち、大入賞口６４Ａに、１ラウンド中の最大入賞可能数と同数の遊技球が入球していないかを判定する。その結果、規定数に到達していないと判定した場合には当該大入賞口開放制御処理を終了し、規定数に到達したと判定した場合にはステップＳ６５０−７に処理を移す。
【０２２１】
（ステップＳ６５０−７）
ＣＰＵ１００ａは、ソレノイドＳＯＬ２の通電を停止して大入賞口６４Ａを閉鎖するために必要な大入賞口閉鎖処理を実行する。これにより、大入賞口６４Ａが閉鎖状態となる。
【０２２２】
（ステップＳ６５０−９）
ＣＰＵ１００ａは、大入賞口閉鎖有効時間（インターバル時間）を特別遊技タイマにセーブする。
【０２２３】
（ステップＳ６５０−１１）
ＣＰＵ１００ａは、特図遊技管理フェーズを「０５Ｈ」に更新する。
【０２２４】
（ステップＳ６５０−１３）
ＣＰＵ１００ａは、大入賞口６４Ａが閉鎖されたことを示す大入賞口閉鎖指定コマンドを送信バッファにセット（送信バッファに格納）し、当該大入賞口開放制御処理を終了する。
【０２２５】
［大入賞口閉鎖有効処理］
図２８は、主制御回路１００における大入賞口閉鎖有効処理を説明するフローチャートである。この大入賞口閉鎖有効処理は、特図遊技管理フェーズが「０５Ｈ」であった場合に実行される。
【０２２６】
（ステップＳ６６０−１）
ＣＰＵ１００ａは、上記ステップＳ６５０−９でセーブした特別遊技タイマのタイマ値が「０」でないかを判定する。その結果、特別遊技タイマのタイマ値が「０」でないと判定した場合には当該大入賞口閉鎖有効処理を終了し、特別遊技タイマのタイマ値が「０」であると判定した場合にはステップＳ６６０−３に処理を移す。
【０２２７】
（ステップＳ６６０−３）
ＣＰＵ１００ａは、特別電動役物連続作動回数カウンタのカウンタ値が、特別電動役物最大作動回数カウンタのカウンタ値と一致するか、すなわち、予め設定された回数のラウンド遊技が終了したかを判定する。その結果、特別電動役物連続作動回数カウンタのカウンタ値が、特別電動役物最大作動回数カウンタのカウンタ値と一致すると判定した場合にはステップＳ６６０−９に処理を移し、一致しないと判定した場合にはステップＳ６６０−５に処理を移す。
【０２２８】
（ステップＳ６６０−５）
ＣＰＵ１００ａは、特図遊技管理フェーズを「０３Ｈ」に更新する。
【０２２９】
（ステップＳ６６０−７）
ＣＰＵ１００ａは、所定の大入賞口閉鎖時間を特別遊技タイマにセーブし、当該大入賞口閉鎖有効処理を終了する。これにより、次のラウンド遊技が開始されることとなる。
【０２３０】
（ステップＳ６６０−９）
ＣＰＵ１００ａは、エンディング時間を特別遊技タイマにセーブするエンディング時間設定処理を実行する。
【０２３１】
（ステップＳ６６０−１１）
ＣＰＵ１００ａは、特図遊技管理フェーズを「０６Ｈ」に更新する。
【０２３２】
（ステップＳ６６０−１３）
ＣＰＵ１００ａは、エンディングの開始を示すエンディング指定コマンドを送信バッファにセット（送信バッファに格納）し、当該大入賞口閉鎖有効処理を終了する。当該エンディング指定コマンドが送信されることにより、演出制御回路２００側では、ＶＤＰに所定のコマンドを送信し、遊技者に対して特別遊技が終了したことを報知する所定のエンディング演出を演出表示部５０Ａに表示させる。
【０２３３】
［大入賞口終了ウェイト処理］
図２９は、主制御回路１００における大入賞口終了ウェイト処理を説明するフローチャートである。この大入賞口終了ウェイト処理は、特図遊技管理フェーズが「０６Ｈ」であった場合に実行される。
【０２３４】
（ステップＳ６７０−１）
ＣＰＵ１００ａは、上記ステップＳ６６０−９でセーブした特別遊技タイマのタイマ値が「０」でないかを判定する。その結果、特別遊技タイマのタイマ値が「０」ではないと判定した場合には当該大入賞口終了ウェイト処理を終了し、特別遊技タイマのタイマ値が「０」であると判定した場合にはステップＳ６７０−３に処理を移す。
【０２３５】
（ステップＳ６７０−３）
ＣＰＵ１００ａは、特別遊技終了後の遊技状態を設定するための遊技状態設定処理を実行する。具体的には、上記ステップＳ６１０−１７でセーブした特別図柄確率状態予備フラグ及び普通図柄確率状態予備フラグをロードして遊技状態に係るデータをセーブする。
また、ＣＰＵ１００ａは、ステップＳ６１０−１７でセーブした特図高確回数切り予備カウンタ、普図高確回数切り予備カウンタをロードして、特図種別に対応する特図高確回数、普図高確回数をそれぞれ特図高確回数切りカウンタ及び普図高確回数切りカウンタにセーブする。
【０２３６】
（ステップＳ６７０−５）
ＣＰＵ１００ａは、特別遊技の終了後に設定される遊技状態を伝達するための遊技状態変化指定コマンドを送信バッファにセット（送信バッファに格納）する。
【０２３７】
（ステップＳ６７０−７）
ＣＰＵ１００ａは、上記ステップＳ６７０−３でセーブした特図高確回数、及び普図高確回数に対応する回数コマンドを送信バッファにセット（送信バッファに格納）する。
【０２３８】
（ステップＳ６７０−９）
ＣＰＵ１００ａは、特図遊技管理フェーズを「００Ｈ」に更新し、当該大入賞口終了ウェイト処理を終了する。これにより、特１保留または特２保留が記憶されている場合には、特別遊技の終了後に特別図柄の変動表示が再開されることとなる。
【０２３９】
以上、主制御回路１００よる主要な制御処理について説明したが、演出制御回路２００側では、特に主制御回路１００から送信される変動パターンコマンドの受信に基づき、変動演出決定処理を実行して演出図柄Ｓの変動表示を開始し、当該演出図柄Ｓの変動表示とともに、変動パターンコマンドに含まれる変動パターン番号に応じて各種の変動演出を表示する。また、特に本実施形態においては、変動演出に付加して先読み演出と呼ばれる演出を表現する。以下、演出表示部５０Ａ上に表示される画像の内容を説明しつつ、演出制御回路２００の処理によって決定され、演出表示部５０Ａ上に表示される変動演出や先読み演出の内容、及びこれらの演出を実現する演出制御回路２００の主要な処理について説明する。
【０２４０】
［演出図柄について］
図３０（ａ）は、演出表示部５０Ａ上に表示される画像の一例を示す図である。同図に示すように、演出表示部５０Ａには、複数の演出図柄Ｓが、例えば上下方向に変動表示（スクロール表示）される領域である図柄変動領域ＡＬ；ＡＣ；ＡＲが設けられている。図３０（ｂ）に示すように、演出図柄Ｓは、例えば１〜８までの連続した数字表記と、各数字に対応した所定の異なるキャラクターＣＨＡ１〜ＣＨＡ８が組み合わされた演出図柄「１」〜演出図柄「８」により構成される。なお、演出図柄「８」と演出図柄「１」とは連続した図柄として設定されている。
【０２４１】
図柄変動領域ＡＬ；ＡＣ；ＡＲにおいてそれぞれ変動表示される演出図柄Ｓは、最終的に図２３のステップＳ６２０−１９でセットされる特図停止指定コマンドを演出制御回路２００が受信したことに応じて、前述の特図当否抽選の結果を示す配列で停止表示される。例えば、前述の特図当否抽選の結果が「当り」である場合には、図３０（ａ）に示すように全ての表示領域ＡＬ：ＡＣ：ＡＲにおいて同一数字及びキャラクターからなる演出図柄Ｓ（図示の例では「演出図柄７」）の配列で停止表示されることにより、遊技者に対して特図当否抽選の結果が「当り」であることが報知される。一方、特図当否抽選の結果が「ハズレ」である場合、最終的に上記組み合わせ以外の演出図柄Ｓの配列で停止表示されることにより、遊技者に対して特図当否抽選が「ハズレ」であることが報知される。
【０２４２】
また、図３０（ａ）に示すように、演出表示部５０Ａには、現在記憶されている特１保留及び特２保留の数を遊技者に報知する保留数表示アイコンＰが表示される。保留数表示アイコンは、主制御回路１００から送信される特図１保留指定コマンド又は特図２保留指定コマンドを受信したことに基づいて増加表示され、保留減指定コマンドを受信したことに基づいて減少表示される。即ち、保留数表示アイコンＰは、第１始動部品６０又は第２始動部品６２への遊技球の入球に基づいて特１保留又は特２保留が取得されたことに応じて増加表示され、当該特１保留又は特２保留に基づいて特図遊技が実行（消化）されたことに応じて減少表示される。よって、遊技者は、保留数表示アイコンＰの増減によって、その数や現在変動中（消化中）の保留が特１保留又は特２保留に基づくものであるかを判別することができる。なお、図示の例は、特１保留数が４つであり、特２保留数が３つであることを表している。
【０２４３】
［演出モードについて］
上記演出図柄Ｓの変動中には、変動に伴って後述する多様な変動演出が表示されるとともに、演出制御回路２００による制御処理によって照明部４０及びスピーカユニット８からそれぞれ変動演出の種別に応じた点灯パターンや音声パターンによる点灯演出、音声演出が実行される。即ち、演出制御回路２００は、変動パターンコマンドに含まれる変動パターン番号に応じて変動演出を決定して、当該決定された変動演出が表示されるように演出表示装置５０を制御するとともに、当該変動演出に対応する点灯演出及び音声演出がなされるように照明部４０及びスピーカユニット８を制御し、遊技者の大当りに対する期待感，高揚感を煽る構成である。
【０２４４】
一方、演出制御回路２００は、遊技モードが通常モードから特定のモード（以下、サイレントモードという。）に切り替わったことを契機として、上記点灯演出及び音声演出を中断する処理を実行する。当該通常モードからサイレントモードへの切り替えは、前述の
ＲＴＣの現在時刻が、予め設定された演出モード切替時刻となったことを契機として実行される。当該サイレントモードは、例えば１分間継続し、当該期間中においては、点灯演出及び音声演出が中断される。具体的には、演出制御回路２００は、照明部４０を直接的に制御する点灯制御基板に対して、照明部４０を構成するＬＥＤからの発光を禁止する制御処理を実行して、照明部４０を消灯状態とする。また、演出制御回路２００は、スピーカユニット８を直接制御するサウンドプロセッサーに対して、スピーカユニット８からの音声の出力を禁止する制御処理を実行してスピーカユニット８を無音状態とする。
なお、サイレントモード中であっても、演出図柄Ｓの変動表示及び変動演出は継続されるため、遊技者は、演出図柄Ｓの最終的な停止態様によって特図当否抽選の結果を認識可能である。
【０２４５】
つまり、図３１に示すように、本実施形態に係るパチンコ機１においては、ＲＴＣにより計時される現在時刻が演出モード切替時刻となったことを契機として、それまで点灯していた照明部４０、及び音声を出力していたスピーカユニット８が突如として消灯，無音状態となる。そして、例えば遊技機管理者側において複数台のパチンコ機１が設置されている場合においては、全てのパチンコ機１が同期してサイレントモードに切り替わることにより、複数のパチンコ機１が設置された遊技機管理者側の空間内を他の空間とは異質な空間として認識させることができる。また、詳細については後述するが、サイレントモード中においては、一定条件の下に通常モードでは発生しない特定の演出及びこれに付随する点灯演出及び音声演出が突如として実行されるため、当該演出が実行されたパチンコ機１の遊技者は、他のパチンコ機１の遊技者からの注目を浴びることとなる。
【０２４６】
以下、上記演出モード切替処理や、通常モード中、又はサイレントモード中において演出図柄Ｓの変動表示中に表現される演出を実行する演出制御回路２００の主要な処理について説明する。
【０２４７】
［演出制御回路２００のＣＰＵ初期化処理］
図３２は、演出制御回路２００のサブＣＰＵ初期化処理（Ｓ１０００）を説明するフローチャートである。
【０２４８】
（ステップＳ１０００−１）
ＣＰＵ２００ａは、電源投入に応じて、ＲＯＭ２００ｂからＣＰＵ初期化処理プログラムを読み込むとともに、ＲＡＭ２００ｃに記憶されるフラグ等の初期化、設定処理を行う。
【０２４９】
（ステップＳ１０００−３）
次に、ＣＰＵ２００ａは、演出の決定に関わる演出決定乱数（本例では、変動演出パターン決定乱数，先読み演出決定乱数，先読み演出時期決定乱数等）を更新する処理を行うとともに、以後は、割込み処理が行われるまで当該ステップＳ１０００−３の処理を繰り返し行う。
【０２５０】
［演出制御回路２００のサブタイマ割込み処理］
図３３は、演出制御回路２００のサブタイマ割込み処理（Ｓ１１００）を説明するフローチャートである。演出制御回路２００には、所定の周期でクロックパルスを発生するリセット用クロックパルス発生回路（不図示）が設けられている。そして、このリセット用クロックパルス発生回路によるクロックパルスの発生により、ＣＰＵ２００ａはタイマ割込み処理プログラムを読み込んで当該サブタイマ割込み処理を開始する。
【０２５１】
（ステップＳ１１００−１）
ＣＰＵ２００ａは、レジスタを退避する。
【０２５２】
（ステップＳ１１００−３）
ＣＰＵ２００ａは、割込みを許可するための処理を行う。
【０２５３】
（ステップＳ１１００−５）
ＣＰＵ２００ａは、演出制御回路２００で用いられる各種タイマカウンタの更新処理を行う。ここで、各種タイマカウンタは、特に断る場合を除き、当該演出制御回路２００のサブタイマ割込み処理の度に１ずつ減算され、０になると減算を停止する。
【０２５４】
（ステップＳ１１５０）
ＣＰＵ２００ａは、ＲＴＣにより計時された現在時刻に基づいて、演出モードを切り替える演出モード切替処理を行う。当該演出モード切替処理については後述する。
【０２５５】
（ステップＳ１２００）
ＣＰＵ２００ａは、ＲＡＭ２００ｃの受信バッファに格納されているコマンドを解析するとともに、受信したコマンドに応じた種々の処理を行う。演出制御回路２００においては、主制御回路１００から前述した種々のコマンドが送信されると、コマンド受信割込み処理（図示せず）が行われ、主制御回路１００から送信されたコマンドが受信バッファに格納される。ここでは、コマンド受信割込み処理によって受信バッファに格納されたコマンドを解析することとなる。
【０２５６】
（ステップＳ１３００）
ＣＰＵ２００ａは、変動演出の経過時間を計時するとともに、変動演出ごとにセットされるタイムテーブルを参照して、変動演出演出中に、当該タイムテーブルに記憶された該当時間に対応する処理を実行するタイムスケジュール管理処理を行う。このタイムスケジュール管理処理の詳細は後述する。
【０２５７】
（ステップＳ１１００−７）
ＣＰＵ２００ａは、ＲＡＭ２００ｃの送信バッファにセットされているコマンド（内部コマンド）や各種のデータを演出表示部５０Ａの上記画像制御のためのＶＤＰ、スピーカユニット８の音声制御のための音声合成ＬＳＩやサウンドプロセッサー、或いは、照明部４０の点灯制御のための点灯制御基板等へ送信，出力する。
【０２５８】
（ステップＳ１１００−９）
ＣＰＵ２００ａは、レジスタを復帰して当該サブタイマ割込み処理を終了する。
【０２５９】
［演出モード切替処理］
図３４は、図３３のステップＳ１１５０で行われる演出モード切替処理（Ｓ１１５０）を説明するフローチャートである。
【０２６０】
（ステップＳ１１５０−１）
ＣＰＵ２００ａは、現在の演出モードが通常モードであるかを判定し、通常モードである場合にステップＳ１１５０−３に処理を移し、通常モードでない場合（サイレントモードである場合）にステップＳ１１５０−７に処理を移す。なお、演出モードは、例えばＲＡＭ２００ｃの所定領域に設けられた演出モードフラグ（「０」又は「１」）により管理されており、当該演出モードフラグの状態に応じて現在の演出モードが判定される。
【０２６１】
（ステップＳ１１５０−３）
ＣＰＵ２００ａは、ＲＴＣにより計時される現在時刻が、予め設定された演出モード切替時刻（サイレントモード開始時刻）であるかを判定し、演出モード切替時刻である場合にステップＳ１１５０−５に処理を移し、演出モード切替時刻でない場合に当該演出モード切替処理を終了する。なお、前述のとおり、演出モード切替時刻は、９：３０，１０：３０，１１：３０・・・のように例えば一時間おきに設定されており、現在時刻が上記いずれかの時刻となった場合に判定がＹＥＳとなる。
【０２６２】
（ステップＳ１１５０−５）
ＣＰＵ２００ａは、ステップＳ１１５０−３において、現在時刻が上記いずれかの演出モード切替時刻であると判定されたことに基づいて、演出モードを通常モードからサイレントモードに変更するモード切替実行処理（通常モード→サイレントモード）を実行して処理を移す。前述のとおり、当該処理においては、照明部４０を直接的に制御する点灯制御基板に対して、照明部４０を構成するＬＥＤからの発光を禁止させて照明部４０を消灯状態とするとともに、スピーカユニット８を直接制御するサウンドプロセッサーに対して、スピーカユニット８からの音声の出力を禁止させてスピーカユニット８を無音状態とする。なお、詳細については後述するが、サイレントモードへの切替時には、遊技者に対して演出モードが切り替わることをそれとなく示唆するモード移行演出が実行され、実際には当該演出後に上記点灯演出、音声演出が中断されることとなる。
【０２６３】
（ステップＳ１２４０）
ＣＰＵ２００ａは、上記ステップＳ１１５０−５において演出モードが通常モードからサイレントモードに切り替わったこと、換言すれば、現在時刻が演出モード切替時刻となったことを契機として、演出モード切替時先読み演出決定処理を実行して、当該演出モード切替処理を終了する。なお、当該演出モード切替時先読み演出決定処理については後述する。
【０２６４】
（ステップＳ１１５０−７）
ＣＰＵ２００ａは、ステップＳ１１５０−１において、通常モードでない（サイレントモードである）と判定されたことに基づいて、ＲＴＣにより計時される現在時刻が、予め設定された演出モード切替時刻（サイレントモード終了時刻）であるかを判定し、演出モード切替時刻である場合にステップＳ１１５０−９に処理を移し、演出モード切替時刻でない場合に当該演出モード切替処理を終了する。前述のとおり、サイレントモードの継続時間は、例えば１分に設定されていることから、ＲＴＣにより計時される現在時刻が９：３１，１０：３１，１１：３１・・・となった場合に判定がＹＥＳとなる。
【０２６５】
（ステップＳ１１５０−９）
ＣＰＵ２００ａは、ステップＳ１１５０−７において、現在時刻が上記いずれかの演出モード切替時刻であると判定されたことに基づいて、演出モードをサイレントモードから通常モードに変更するモード切替実行処理（サイレントモード→通常モード）を行い、当該演出モード切替処理を終了する。当該処理においては、サイレントモードへの切替時において発光が禁止された照明部４０の発光を再開させるべく点灯制御基板に対して発光を許可する処理を行い、照明部４０による点灯演出を再開させるとともに、同じくサイレントモードへの切替時において音声の出力が禁止されたスピーカユニット８からの出力を再開させるべくサウンドプロセッサーに対して音声の出力を許可する処理を行い、スピーカユニット８による音声演出を再開させる。なお、サイレントモード中であっても、演出制御回路２００側から、点灯パターンデータ及び音声パターンデータの送信は継続して実行されているため、上記各演出の再開と同時に点灯パターン及び音声パターンの途中から発光及び音声の出力がなされることとなる。
【０２６６】
以上の通り、演出モード切替処理は、パチンコ機１の稼働中において、所定時間ごとに演出モードを通常モードからサイレントモードに切り替えるとともに、切り替え後、所定時間が経過したことに応じて演出モードをサイレントモードから通常モードに切り替える（復帰させる）処理である。そして、本実施形態において当該演出モード切替処理を実行するＣＰＵ２００ａが演出モード切替手段に相当する。
【０２６７】
図３５は、演出モード切替処理によって、演出モードが通常モードからサイレントモードに移行し、再び通常モードに復帰するまでのタイムチャートを表す図である。
同図に示すように、演出モード切替時刻が到来し、演出モードが通常モードからサイレントモードに移行した場合、モード移行示唆演出が実行される。当該モード移行示唆演出は、演出図柄Ｓの変動時等における楽曲とは異なる特定の効果音が例えば５秒間継続することによって表現される。当該モード移行示唆演出の後には、照明部４０を構成するＬＥＤからの発光、及びスピーカユニット８からの音声の出力が禁止された状態となる。さらに、演出モードが通常モードからサイレントモードに移行してから１分経過後の演出モード切替時刻が到来すると、演出モードがサイレントモードから通常モードに移行（復帰）し、照明部４０を構成するＬＥＤからの発光、及びスピーカユニット８からの音声の出力が再開される。なお、以下の説明において、サイレントモード中において、上記モード移行演出が実行される区間をイベント１とし、発光及び音声の出力が禁止される区間をイベント２として区別する場合がある。
【０２６８】
［演出の種類について］
次に、図３６を参照して、演出図柄Ｓの変動表示に伴って表現される演出の種類について説明する。本実施形態において、演出図柄Ｓの変動表示伴って表現される演出としては、変動演出と先読み演出とに区分される。また、先読み演出は通常モード時先読み演出と、サイレントモード時先読み演出とに細分化される。図３６（ａ）に示すように、変動演出とは、特別図柄、及び当該特別図柄と同期する演出図柄Ｓの変動開始から変動停止に至る１回の変動に対応して表現される演出であり、当該変動演出のパターンは、主制御回路１００から送信される変動パターンコマンドの受信時、換言すれば特別図柄及び演出図柄Ｓの変動直前に決定される。
同図の例は、第１特図保留記憶領域に特１保留が３つ記憶されている例を示し、第１記憶部に記憶された特１保留に対応する変動１、第２記憶部に記憶された特１保留に対応する変動２、第３記憶部に記憶された特１保留に対応する変動３の直前に変動演出パターンが決定され、それぞれの変動に対応するように変動演出Ａ又は変動演出Ｂが実行される。
【０２６９】
一方、先読み演出とは、特定の変動中（図示の例では変動３）、或いは特定の変動が実行されるよりも前の変動中や、特１保留又は特２保留の取得時に直ちに実行される演出であって、特定の変動（変動３）における特図当否抽選の結果（期待度）や、変動演出のパターンを事前に示唆する演出である。このような先読み演出が実行された場合、遊技者は、変動３の変動中、或いは変動３が開始される以前に、変動３における大当りや変動演出のパターンへの期待感を推測することが可能となり、変動３が停止するまでの間、期待感を維持しながら遊技を進行することが可能となる。
【０２７０】
図３６（ｂ）の例は、特別図柄及び演出図柄Ｓの変動１中に第１特図保留記憶領域の第２記憶部に新たな破線で示す特１保留が記憶され、当該新たな特１保留が記憶されたタイミングで、通常モード時先読み演出が実行された例を示す。当該通常モード時先読み演出の具体例としては、第２記憶部に対応する特１保留を示す保留数表示アイコンＰの色が、デフォルトの色彩（例えば「青」）とは異なる色彩（例えば「赤」）を有して表示されるような演出（保留アイコン変化演出）が挙げられる。このような演出が実行された場合、赤の色彩を有する保留数表示アイコンＰと対応する特１保留に基づく変動（図示の例では変動３）が開始されるまでの間、大当りや変動演出のパターンへの期待感を事前に得つつ変動１及び変動２が終わるのを待ちつつ、変動３が停止することを楽しみに待つことができる。なお、同図においては、先読み演出の一例としての保留アイコン変化演出を特１保留の取得と同時に実行する例を挙げたが、先読み演出の例としてはこれに限られるものではない。例えば、特１保留の取得後、最初の変動（図示の例では変動２）開始、或いは停止時に変動演出Ｂに付加して、所定の効果音や発光を伴うチャンス演出等を行う構成であってもよい。
【０２７１】
また、上述のとおり、上記先読み演出には、通常モード時先読み演出とサイレントモード時先読み演出とが存在する。通常モード時先読み演出は、演出モードが通常モードである場合に実行される演出であって、当該通常モード時先読み演出のパターンは、主制御回路１００から送信される事前判定コマンドの受信時、換言すれば、特１保留又は特２保留の取得時（第１始動部品６０又は第２始動部品６２への入球時）に決定される。
一方、サイレントモード時先読み演出は、演出モードがサイレントモードである場合、より詳細には、サイレントモードの上記イベント２の区間中に実行される演出であって、当該サイレントモード時先読み演出のパターンは、主制御回路１００から送信される事前判定コマンドの受信時の他、上記演出切替時刻（通常モード→サイレントモード）の到来時においても決定される。以下、先読み演出及び変動演出の決定に関する処理について詳説する。
【０２７２】
［事前判定コマンド受信処理］
図３７は、図３３のステップＳ１２００のコマンド解析処理のうち、事前判定コマンドを受信した際に実行される事前判定コマンド受信処理（Ｓ１２１０）を説明するフローチャートである。上記したとおり、事前判定コマンドは、主制御回路１００において、図１９のステップＳ５４０−９でセットされた後、図１２のステップＳ１００−３９のサブコマンド送信処理によって演出制御回路２００に送信される。
【０２７３】
（ステップＳ１２１０−１）
事前判定コマンドを受信すると、ＣＰＵ２００ａは、受信した事前判定コマンドを解析するとともに、事前判定情報を事前判定情報記憶領域に記憶する。前述のとおり、事前判定コマンドに含まれる事前判定情報としては、事前特図当否抽選処理における抽選結果（「当り」又は「ハズレ」）、事前特図変動パターン決定処理で決定した変動パターン番号及び変動時間情報である。なお、前述のとおり変動パターン番号及び変動時間情報は２通り含まれる場合がある。また、以下の説明において、事前判定情報に２通りの変動パターン番号及び変動時間情報が存在する場合を事前判定情報が不定値である表現する。
【０２７４】
図３８に示すように、事前判定情報記憶領域は、前述の第１特図保留記憶領域、及び第２特図保留記憶領域と対応するように、第１事前判定情報記憶領域、及び第２事前判定情報記憶領域を有しており、各記憶領域は、さらに第１記憶部〜第４記憶部に細分化されている。そして、当該各事前判定情報記憶領域に事前判定情報が記憶されることにより、事前判定情報が前述の特１保留又は特２保留と紐付けられる。なお、事前判定情報記憶領域に記憶された事前判定情報は、主制御回路１００から送信される保留減指定コマンドに基づいて、１つ序数の小さい記憶部にブロック転送され、第１記憶部に記憶された事前判定情報は消去される。また、図示の例では、第１特図保留記憶領域に３つの特１保留が記憶されており、第１事前判定情報記憶領域に上記３つの特１保留と対応する３つの事前判定情報が記憶されている例である。また、以下の説明においては、破線で示された特１保留が特別図柄及び演出図柄Ｓ（以下、単に演出図柄Ｓという。）の変動中に新たに取得されたと仮定して説明するが、新たに特２保留が取得された場合についても同様である。
【０２７５】
（ステップＳ１２１０−３）
ＣＰＵ２００ａは、演出図柄Ｓが変動中であるかを判定し、変動中である場合にステップＳ１２１０−５に処理を移し、変動中でない場合に当該事前判定コマンド受信処理を終了する。
【０２７６】
（ステップＳ１２１０−５）
ＣＰＵ２００ａは、新たに取得された特１保留に対応する演出図柄Ｓの変動開始時期を算定して処理を移す。具体的には、ＣＰＵ２００ａは、新たな特１保留の取得時において変動中の演出図柄Ｓの残り変動時間又は、当該残り変動時間と既に事前判定情報として記憶されている特１保留に対応する演出図柄Ｓの変動時間との合算から、特１保留が新たに取得されてから、当該特１保留に基づく演出図柄Ｓの変動が開始されるまでの時間を算定する。ここで、前述のとおり、事前判定情報が不定値である場合、２通りの変動時間情報が含まれるため、この場合には２通りの変動時間ごとに変動開始時期を算定する。
よって、例えば事前判定情報が第１事前判定情報記憶領域に既に３つ記憶されており、全ての事前判定情報が不定値である場合、合計８通りの変動開始時期が算定されることとなる。
【０２７７】
（ステップＳ１２１０−７）
ＣＰＵ２００ａは、上記ステップＳ１２１０−５において算定された変動開始時期が複数であるかを判定する。判定の結果、変動開始時期が複数である場合にステップＳ１２１０−９に処理を移し、複数でない場合（単一である場合）にステップＳ１２１０−１１に処理を移す。
【０２７８】
（ステップＳ１２１０−９）
ＣＰＵ２００ａは、複数算定された変動開始時期のうち、いずれかの変動開始時期がイベント１又はイベント２の区間中であるかを判定する。判定の結果、いずれかの変動開始時期がイベント１又はイベント２の区間中である場合には、当該事前判定コマンド受信処理を終了し、いずれかの変動開始時期もイベント１又はイベント２の区間中でない場合（通常モード中である場合）にステップＳ１２３０に処理を移す。なお、当該判定は、ＲＴＣにより計時された現在時刻に基づいて実行され、以下の判定についても同様である。
【０２７９】
（ステップＳ１２１０−１１）
ＣＰＵ２００ａは、ステップＳ１２１０−５で算定された単一の変動開始時期が、イベント２の区間中であるかを判定し、イベント２の区間中である場合にステップＳ１２２０に処理を移し、イベント２の区間中でない場合（イベント１の区間中又は通常モード中である場合）にステップＳ１２１０−１３に処理を移す。
【０２８０】
（ステップＳ１２１０−１３）
ＣＰＵ２００ａは、変動開始時期が通常モード中であるかを判定し、通常モード中である場合にステップＳ１２３０に処理を移し、通常モード中でない場合（イベント１の区間中である場合）に当該事前判定コマンド受信処理を終了する。
【０２８１】
図３９は、複数回に渡る演出図柄Ｓの変動開始時期と、演出モードとの関係を場合分けして示す概要図である。なお、同図の変動１及び変動２はそれぞれ、図３８の第１特図保留記憶領域の第１記憶部及び第２記憶部に記憶された特１保留に対応するものであるとし、変動３は、変動１の変動開始前の特別図柄及び演出図柄Ｓの変動中に新たに取得され、第３記憶部に記憶された特１保留に対応するものであるとする。
【０２８２】
図３９（ａ），（ｂ）に示す例は、新たに取得された特１保留に対応する変動３の変動開始時期が、イベント２の区間中であるケースを示す。同図に示すように、変動３の変動開始時期がイベント２の区間中となるか否かは、新たな特１保留取得時における残り変動時間と、事前判定情報に基づいて算定される変動１及び変動２の変動時間とに基づいて算定可能であり、当該算定の結果、新たに取得された特１保留に対応する変動３の変動開始時期がイベント２の区間中となる場合に上記ステップＳ１２１０−１１の判定がＹＥＳとなる。
【０２８３】
図３９（ｃ）に示す例は、変動２に対応する変動時間が長短２通り含まれており、変動３の変動開始時期が複数（図示の例では２パターン）存在するケースを示す。同図に示すように本ケースでは、変動３の一方の変動開始時期がイベント１の区間中となり、変動３の他方の変動開始時期がイベント２の区間中となり得る。このような場合には、上記ステップＳ１２１０−９の判定がＹＥＳとなる。なお、このようなケースは、新たな特１保留の取得時おいて、当該特１保留に対応する変動の変動開始時期を確定できないケースであるが、本例においてはこのようなケースに対応すべく、演出切替時刻となったことを契機として実行される後述の演出モード切替時先読み演出決定処理により、再度先読み演出に関する抽選を実行する構成としている。
【０２８４】
図３９（ｄ）に示す例は、新たに取得された特１保留に対応する変動３の変動開始時期が、通常モード中であるケースを示す。このような場合には、上記ステップＳ１２１０−１３の判定がＹＥＳとなる。
【０２８５】
［サイレントモード時先読み演出決定処理］
図４０は、図３７のサイレントモード時先読み演出決定処理（Ｓ１２２０）を説明するフローチャートである。当該サイレントモード時先読み演出決定処理では、新たに取得された特１保留に対応する演出図柄Ｓの変動開始時期がイベント２の区間中であることに基づいて、当該特１保留に対応する変動中や、当該変動よりも前の変動中に実行されるサイレントモード時先読み演出の具体的内容を決定する。
【０２８６】
（ステップＳ１２２０−１）
ＣＰＵ２００ａは、上記ステップＳ１０００−３で更新された先読み演出決定乱数をロードして処理を移す。
【０２８７】
（ステップＳ１２２０−３）
ＣＰＵ２００ａは、サイレントモード用先読み演出決定テーブルＴＢをロードして処理を移す。図４１は、複数のサイレントモード用先読み演出決定テーブルＴＢの一例を示す図である。同図に示すように、サイレントモード用先読み演出決定テーブルＴＢは、事前判定情報に含まれる変動パターン番号ごとに細分化されている。
【０２８８】
各サイレントモード用先読み演出決定テーブルＴＢには、０〜９９までの先読み演出決定乱数の範囲に対応して、それぞれ異なる先読み演出番号が規定されている。演出内容の欄に示すように、各先読み演出番号には、「演出なし」，「役物動作演出」，「タイマ発生演出１」，「群予告演出」，「タイマ発生演出２」，「ランプ予告演出」，「タイマ発生演出３」等のサイレントモード時の先読み演出の具体的内容が対応している。なお、演出内容の欄は説明の便宜上付したものである。ここで、図４２（ａ）に示すように、「役物動作演出」とは、例えば演出表示部５０Ａの左右に配設された可動体５５Ａ；５５Ｂが突如として、効果音及び発光を伴って演出表示部５０Ａの前方を遮るように動作し、中央部において合体する演出である。また、可動体５５Ａ；５５Ｂには、液晶表部５６が設けられており、合体と同時に例えば「闘魂」等のメッセージが表示される。また、図４２（ｂ）に示すように、「タイマ発生演出１」とは、上記役物動作演出の実行前に演出表示部５０Ａ上に、突如として効果音と発光を伴ってタイマ表示部Ｑ１が表示されるとともに、当該タイマ表示部Ｑ１に含まれるカウンタがカウントダウンを開始し、カウンタが「０」となった瞬間に上記役物動作演出が実行される演出である。また、図４２（ｃ）に示すように、「群予告演出」とは、突如として演出表示部５０Ａ上に効果音と発光を伴って所定のキャラクター群が横切るように表示される演出である。また、図４２（ｄ）に示すように、「タイマ発生演出２」とは、上記群予告演出の実行前に演出表示部５０Ａ上に、突如として効果音と発光を伴ってタイマ表示部Ｑ１が表示されるとともに、当該タイマ表示部Ｑ１に含まれるタイマ部がカウントダウンを開始し、カウンタが「０」となった瞬間に上記「群予告演出」が実行される演出である。また、図４２（ｅ）に示すように、「ランプ予告演出」とは、例えば演出表示部５０Ａの上方に配設された前述の回転可動体５５Ｃが突如として激しい効果音を伴って回転，発光する演出である。また、図４２（ｆ）に示すように、「タイマ発生演出３」とは、上記ランプ予告演出の実行前に上記同様のタイマ表示部Ｑ１が表示され、当該タイマ表示部Ｑ１に含まれるカウンタがカウントダウンを開始し、カウンタが「０」となった瞬間に上記「ランプ予告演出」が実行される演出である。
なお、以下の説明においては、タイマ発生演出１〜タイマ発生演出３を「タイマ系演出」と言い、その他の演出を「即予告系演出」と言う場合がある。
【０２８９】
このように、各サイレントモード用先読み演出決定テーブルＴＢは、新たに取得された特１保留（特２保留）の変動開始時期がサイレントモードのイベント２の区間中である場合にのみ参照されるテーブルであって、後述の通常モード用先読み演出決定テーブルＴＢが参照された場合には実行されることのないサイレントモードにおいて特有の先読み演出の具体的内容（先読み演出番号）が規定されている。
【０２９０】
また、各サイレントモード用先読み演出決定テーブルＴＢに割り当てられた先読み演出決定乱数の範囲からも明らかなように、特図当否抽選の結果が「当り」である場合に選択され易い変動パターン番号に対応するサイレントモード用先読み演出決定テーブルＴＢには、「ハズレ」である場合に選択され易い変動パターン番号に対応するサイレントモード用先読み演出決定テーブルＴＢよりも「演出なし」となる割合が低く設定され、なんらかのサイレントモード用先読み演出が実行される可能性が高くなっている。このような設定とすることにより、遊技者がサイレントモード中（イベント２区間中）にサイレントモード時先読み演出が実行されたことに基づいて、新たに取得された特１保留に対応する変動について後述する変動演出の内容や、特図当否抽選の結果を推測しながら遊技を進行でき、遊技の興趣が増大する。また、各サイレントモード用先読み演出は、演出モードがサイレントモードであって、イベント２の区間中、換言すれば、照明部４０の発光、及びスピーカユニット８からの音声出力が禁止された区間において突如として実行されるため、よりインパクトと意外性を有する態様で演出表現を行うことができる。
【０２９１】
（ステップＳ１２２０−５）
ＣＰＵ２００ａは、上記ステップＳ１２２０−３でロードした変動パターン番号に対応するサイレントモード用先読み演出決定テーブルＴＢの中から上記ステップＳ１２２０−１でロードした先読み演出決定乱数と対応する先読み演出番号を決定するサイレントモード時先読み演出抽選処理を実行して処理を移す。当該処理によって決定された先読み演出番号は、ＲＡＭ２００ｃの所定の記憶領域内に記憶される。
また、「演出なし」以外のサイレントモード時先読み演出に対応する先読み変動番号に決定された場合、当該先読み演出が実行されることを示すサイレントモード時先読み演出実行フラグをセット（「０」→「１」）する。また、当該サイレントモード時先読み演出実行フラグは、演出の実行に伴って消去（「１」→「０」）される。
【０２９２】
（ステップＳ１２５０）
ＣＰＵ２００ａは、先読み演出実行時期決定処理を実行して当該サイレントモード時先読み演出決定処理を終了する。先読み演出実行時期決定処理については後述する。
【０２９３】
［通常モード時先読み演出決定処理］
図４３は、図３７の通常モード時先読み演出決定処理（Ｓ１２３０）を説明するフローチャートである。当該通常モード時先読み演出決定処理では、新たに取得された特１保留に対応する演出図柄Ｓの変動開始時期が通常モードの区間中であることに基づいて、当該特１保留の変動中や、当該変動よりも前の変動中に実行される通常モード時先読み演出の具体的内容を決定する。
【０２９４】
（ステップＳ１２３０−１）
ＣＰＵ２００ａは、上記ステップＳ１０００−３で更新された先読み演出決定乱数をロードして処理を移す。
【０２９５】
（ステップＳ１２３０−３）
ＣＰＵ２００ａは、通常モード用先読み演出決定テーブルＴＢをロードして処理を移す。図４４は、通常モード用先読み演出決定テーブルＴＢの一例を示す図である。同図に示すように、通常モード用先読み演出決定テーブルＴＢは、サイレントモード用先読み演出決定テーブルＴＢと同様に、事前判定情報に含まれる変動パターン番号ごとに細分化されている。
【０２９６】
各通常モード用先読み演出決定テーブルＴＢには、０〜９９までの先読み演出決定乱数の範囲に対応して、それぞれ異なる先読み演出番号が規定されている。演出内容の欄に示すように、各先読み演出番号には、「演出なし」，「保留アイコン変化演出」，「背景変化演出」，「チャンスキャラ出現演出」等の通常モード時に特有の先読み演出の具体的内容が対応している。具体的な図示は省略するが、「保留アイコン変化演出」とは前述のとおり、保留数表示アイコンＰの色が、デフォルトの色彩異なる色彩で表示される演出である。また、「背景変化演出」とは、演出図柄Ｓが変動表示される演出表示部５０Ａの背景が、デフォルトの背景（昼間）から、これと異なる背景（夕方，夜）に変化する演出である。また、「チャンスキャラ出現演出」とは、例えば保留数表示アイコンＰが表示される領域の近傍に特定のキャラクターが表示されるような演出である。
【０２９７】
このように、各通常モード用先読み演出決定テーブルＴＢは、新たに取得された特１保留（特２保留）の変動開始時期が通常モードの区間中である場合に参照されるテーブルであって、前述のサイレントモード用先読み演出決定テーブルＴＢが参照された場合には実行されることのない通常モードにおいて特有の先読み演出の具体的内容が規定されている。
【０２９８】
また、当該通常モード用先読み演出決定テーブルＴＢについても特図当否抽選の結果が「当り」である場合に選択され易い変動パターン番号に対応して「演出なし」となる割合が低く設定され、なんらかの通常モード用先読み演出が実行される可能性が高くなっている。
【０２９９】
（ステップＳ１２３０−５）
ＣＰＵ２００ａは、上記ステップＳ１２３０−３でロードした変動パターン番号に対応する通常モード用先読み演出決定テーブルＴＢの中から上記ステップＳ１２３０−１でロードした先読み演出決定乱数と対応する先読み演出番号を決定する通常モード時先読み演出抽選処理を実行して処理を移す。当該処理によって決定された先読み演出番号は、ＲＡＭ２００ｃの所定の記憶領域内に記憶される。
【０３００】
（ステップＳ１２５０）
ＣＰＵ２００ａは、先読み演出実行時期決定処理を実行して当該通常モード時先読み演出決定処理を終了する。
【０３０１】
［演出モード切替時先読み演出決定処理］
図４５は、図３４の演出モード切替時先読み演出決定処理（Ｓ１２４０）を説明するフローチャートである。当該演出モード切替時先読み演出決定処理は、ＲＴＣにより計時される現在時刻が演出切替時刻（通常モード→サイレントモード）となったことを契機として実行される。
【０３０２】
（ステップＳ１２４０−１）
ＣＰＵ２００ａは、演出図柄Ｓが変動中であるかを判定し、変動中である場合にステップＳ１２４０−３に処理を移し、変動中でない場合に当該演出モード切替時先読み演出決定処理を終了する。
【０３０３】
（ステップＳ１２４０−３）
ＣＰＵ２００ａは、事前判定情報記憶領域に事前判定情報が記憶されているか、換言すれば、特１保留又は特２保留が記憶されているかを判定する。判定の結果、事前判定情報が記憶されている場合にステップＳ１２４０−５に処理を移し、記憶されていない場合に当該演出モード切替時先読み演出決定処理を終了する。
【０３０４】
（ステップＳ１２４０−５）
ＣＰＵ２００ａは、上記ステップＳ１２４０−３において事前判定情報が事前判定情報記憶領域に記憶されていると判定されたことに基づいて、事前判定情報記憶領域に記憶されている全ての事前判定情報をロードする。
【０３０５】
（ステップＳ１２４０−７）
ＣＰＵ２００ａは、上記ステップＳ１２４０−７でロードした全ての事前判定情報のいずれかが不定値であるかを判定する。判定の結果、不定値である事前判定情報が含まれている場合に当該演出モード切替時先読み演出決定処理を終了し、含まれていない場合にステップＳ１２４０−９に処理を移す。
【０３０６】
（ステップＳ１２４０−９）
ＣＰＵ２００ａは、現在変動中の演出図柄Ｓの残り変動時間、及びステップＳ１２４０−７でロードした全ての事前判定情報（変動時間情報）に基づいて、事前判定情報と紐付けられた特１保留又は特２保留に対応する各変動の変動開始時期を算定して処理を移す。
なお、当該処理においては、上記ステップＳ１２４０−７の判定によって不定値である事前変動情報を含む場合が除外されていることから、演出モードの切替時点以降の変動開始時期が正確に特定される。逆に言えば、演出モードの切替時において、不定値の事前判定情報を含み、変動開始時期が未確定である場合、当該演出モード切替時先読み演出決定処理の対象とならない。
【０３０７】
（ステップＳ１２４０−１１）
ＣＰＵ２００ａは、上記ステップＳ１２４０−９で算定された変動開始時期のいずれかがサイレントモードのイベント２の区間中となるかを判定する。判定の結果、変動開始時期のいずれかがサイレントモードのイベント２の区間中となる場合にステップＳ１２４０−１３に処理を移し、いずれの変動開始時期もイベント２の区間中とならない場合に当該演出モード切替時先読み演出決定処理を終了する。
【０３０８】
（ステップＳ１２４０−１３）
ＣＰＵ２００ａは、上記ステップＳ１２４０−１１の処理において変動開始時期のいずれかがサイレントモードのイベント２の区間中となると判定されたことに基づいて、サイレントモード時先読み演出実行フラグがセットされているかを判定する。判定の結果、サイレントモード時先読み演出実行フラグがセットされている場合に、当該演出モード切替時先読み演出決定処理を終了し、セットされていない場合にステップＳ１２４０−１５に処理を移す。
なお、当該判定においてサイレントモード時先読み演出実行フラグがセットされている場合とは、図３９に示すように、演出モード切替時よりも前に取得された特１保留又は特２保留に対応する変動の変動開始時期が、イベント２の区間中であることに基づいて実行されるサイレントモード時先読み演出決定処理（図４０参照）において、「演出なし」以外のサイレントモード時先読み演出の実行が既に決定されている場合である。
【０３０９】
（ステップＳ１２４０−１５）
ＣＰＵ２００ａは、上記ステップＳ１２４０−１３においてサイレントモード時先読み演出実行フラグがセットされていないと判定されたことに基づいて、上記ステップＳ１０００−３で更新された先読み演出決定乱数をロードして処理を移す。
【０３１０】
（ステップＳ１２４０−１７）
ＣＰＵ２００ａは、上述したサイレントモード用先読み演出決定テーブルＴＢをロードして処理を移す。
【０３１１】
（ステップＳ１２４０−１９）
ＣＰＵ２００ａは、上記ステップＳ１２４０−１７でロードした変動パターン番号に対応するサイレントモード用先読み演出決定テーブルＴＢの中から上記ステップＳ１２４０−１５でロードした先読み演出決定乱数と対応する先読み演出番号を決定するサイレントモード時先読み演出抽選処理を実行して処理を移す。当該処理によって決定された先読み演出番号は、ＲＡＭ２００ｃの所定の記憶領域内に記憶される。なお、上記ステップＳ１２４０−１５〜Ｓ１２４０−１９までの処理は、前述のステップＳ１２２０−１〜Ｓ１２２０−５までの処理と同様であるのでその説明を省略する。
【０３１２】
ＣＰＵ２００ａは、先読み演出実行時期決定処理を実行して当該演出モード切替時先読み演出決定処理を終了する。
【０３１３】
以上のとおり、演出モード切替時先読み演出決定処理は、演出モードが通常モードからサイレントモードに切り替わるタイミングで実行される処理であり、当該タイミングにおける１又は複数の事前判定情報に基づいて変動開始時期を算定し、算定の結果、変動開始時期がサイレントモードのイベント２の区間中となることを条件として、サイレントモード時先読み演出の内容を決定する処理である。
そして、当該処理が実行されることにより、図３９（ｃ）に示すように新たな特１保留又は特２保留の取得時において、その変動時間が未確定であるために、図３７のステップＳ１２１０−７の判定がＹＥＳとなり、サイレントモード時先読み演出決定処理（図４０参照）の対象とならなかった場合、或いは、サイレントモード時先読み演出決定処理が実行され、サイレントモード時先読み演出抽選処理（１２２０−５）の結果が「演出なし」となった場合であっても、演出モードが通常モードからサイレントモードに切り替わるタイミングで、サイレントモード時先読み演出に関する抽選が再び実行されることとなるため、サイレントモードのイベント２の区間中に突如としてサイレントモード時先読み演出が実行される可能性を増大させることができる。
また、当該演出モード切替時先読み演出決定処理は、事前判定コマンドの受信を契機として実行されるサイレントモード時先読み演出決定処理とは異なり、現在時間が演出モード切替時刻となったことに基づいて実行される処理であるため、サイレントモード時先読み演出決定処理の存在を前提とすることなく、独立して実行し得る処理である。
【０３１４】
［先読み演出実行時期決定処理］
図４６は、先読み演出実行時期決定処理（Ｓ１２５０）を説明するフローチャートである。当該先読み演出実行時期決定処理は、「演出なし」以外の先読み演出（通常モード時先読み演出，サイレントモード時先読み演出）が実行される場合になされる処理であり、具体的な先読み演出の開始時期を決定する。
【０３１５】
（ステップＳ１２５０−１）
ＣＰＵ２００ａは、先読み演出が通常モード時先読み演出であるかを判定する。判定の結果、通常モード時先読み演出である場合にステップＳ１２５０−３に処理を移し、通常モード時先読み演出でない場合（サイレントモード時先読み演出である場合）にステップＳ１２５０−１３に処理を移す。
【０３１６】
（ステップＳ１２５０−３）
ＣＰＵ２００ａは、通常モード時先読み演出の内容が「保留アイコン変化演出」であるかを判定する。判定の結果、「保留アイコン変化演出」である場合にステップＳ１２５０−５に処理を移し、「保留アイコン変化演出」でない場合（背景変化演出，チャンスキャラ出現演出である場合）にステップＳ１２５０−７に処理を移す。
【０３１７】
（ステップＳ１２５０−５）
ＣＰＵ２００ａは、通常モード時先読み演出の内容が「保留アイコン変化演出」であることに基づいて、演出即時実行処理を実行して当該先読み演出実行時期決定処理を終了する。具体的には、ＣＰＵ２００ａは、演出表示部５０Ａを制御するＶＤＰに対する内部コマンドとして保留アイコン変化演出実行コマンドをセット，送信し、前述の保留数表示アイコンＰの色彩をデフォルトの色彩とは異なる色彩で表示させる。
演出図柄Ｓの変動中に、このような「保留アイコン変化演出」が直ちに実行されることにより、遊技者は当該変動中の演出図柄Ｓ以降の演出図柄Ｓの変動において、大当り遊技を獲得できるかも知れないという期待感を有することができる。
【０３１８】
（ステップＳ１２５０−７）
ＣＰＵ２００ａは、通常モード時先読み演出の内容が「保留アイコン変化演出」でないことに基づいて、上記ステップＳ１０００−３で更新された先読み演出時期決定乱数を取得して処理を移す。
【０３１９】
（ステップＳ１２５０−９）
ＣＰＵ２００ａは、通常モード時先読み演出時期決定テーブルＴＢをロードして処理を移す。図４７は、事前判定情報（特１保留又は特２保留）の記憶時期（取得時期）と変動数との関係を示す概要図であり、図４８は、変動数及び先読み演出時期決定乱数に応じた先読み演出時期が規定された通常モード時先読み演出時期決定テーブルＴＢの概要を示す図である。
【０３２０】
同図に示すように、通常モード時先読み演出決定処理は、演出図柄Ｓの変動中に実行されるものであるため、当該通常モード時先読み演出決定処理によっていずれかの通常モード時先読み演出が実行される対象となった事前判定情報に対応する特１保留又は特２保留についての変動（対象変動）が開始される時期は、当該対象変動と現在の変動との間の変動数によって異なる。
【０３２１】
例えば、図４７（ａ）の例は、現在の変動と対象変動との間の変動数が「０」の場合であり、この場合現在の変動の次に、対象変動の変動が開始される。また、以下、図４７（ｂ）〜（ｄ）は、それぞれ現在の変動と対象変動との間の変動数が「１」〜「３」である例を示す。
【０３２２】
図４８に示す通常モード時先読み演出時期決定テーブルＴＢには、現在の変動と対象変動との間の変動数（「０回」〜「３」回）ごとに、０〜９９までの先読み演出時期決定乱数の範囲に対応する具体的な演出開始時期が規定されている。例えば、現在の変動数と対象変動との間の変動数が「０」である場合、先読み演出時期決定乱数の範囲に対応して「即時」又は「変動１開始直後」の演出開始時期が規定されている。また、例えば現在の変動数と対象変動との間の変動数が「３」である場合、先読み演出時期決定乱数の範囲に対応して「即時」、「変動１開始直後」、「変動２開始直後」、「変動３開始直後」、「対象変動開始直後」の演出開始時期が規定されている。このように、先読み演出開始時期は、現在の変動と対象変動との間の変動数によってその時期に幅が存在する。また、説明の便宜上、演出開始時期を「即時」や「変動開始直後」としたが、これに限られるものではなく、「変動中」や「変動停止直前」等の時期があってもよい。また、演出開始時期を１の変動にのみ対応付けるのではなく、複数の変動に対応付けてもよい。そしてこの場合、複数の変動において先読み演出が実行されることとなる。
【０３２３】
（ステップＳ１２５０−１１）
ＣＰＵ２００ａは、上記ステップＳ１２５０−７でロードした先読み演出開始時期決定乱数と、上記ステップＳ１２５０−９でロードした通常モード時先読み演出開始時期決定テーブルＴＢとに基づいて、１の演出開始時期を決定して当該先読み演出実行時期決定処理を終了する。ここで、先読み演出開始時期が「即時」に決定された場合、「保留アイコン変化演出」と同様に演出表示部５０Ａを制御するＶＤＰに対する内部コマンドとして背景変化演出実行コマンド又はチャンスキャラ出現演出実行コマンドをセット，送信し、各先読み演出を表示させる。一方、「変動１開始直後」等に決定された場合、当該先読み演出開始時期に関する情報をＲＡＭ２００ｃの記憶領域に記憶する。
【０３２４】
（ステップＳ１２５０―１３）
ＣＰＵ２００ａは、先読み演出時期決定乱数をロードして処理を終了する。
【０３２５】
（ステップＳ１２５０−１５）
ＣＰＵ２００ａは、サイレントモード時先読み演出時期決定テーブルＴＢをロードして処理を移す。図４９は、事前判定情報（特１保留又は特２保留）の記憶時期（取得時期）と、イベント２区間の開始前後の変動数との関係を示す概要図であり、図５０は、変動数及び先読み演出時期決定乱数に応じた先読み演出時期が規定されたサイレントモード時先読み演出時期決定テーブルＴＢの概要を示す図である。
【０３２６】
同図に示すように、サイレントモード（イベント１区間）の開始直前に事前判定情報が取得された場合、当該事前判定情報に対応する特１保留又は特２保留についての変動（対象変動）よりも前の変動が開始される時期が、場合によってイベント区間１中やイベント２区間中となる。そして、本実施形態においては、イベント区間１中においてモード移行演出を実行し、続くイベント２区間の開始によって発光及び音声の出力を禁止するという段階を踏む構成であるため、モード移行演出が実行されるイベント１区間中にサイレントモード時先読み演出が重複してなされた場合、遊技者が困惑することとなる。そこで、イベント１区間中にサイレントモード時先読み演出が実行されることを排除すべく、サイレントモード移行後の変動数をイベント２区間の始期を基準としてカウントする構成としている。
【０３２７】
例えば、図４９（ａ）〜（ｄ）に示す例は、サイレントモード中のイベント２区間の開始後における対象変動開始前の変動数がそれぞれ「０」〜「３」である例を示す。一方、図４９（ｅ）に示す例は、サイレントモード開始後、対象変動開始前の実際の変動数が「１」（変動Ａ）である場合を示すが、当該変動Ａは、イベント２区間の開始前に変動を開始するものであるため、変動数は「０」としてカウントされる。
また、図４９（ｆ）に示す例は、サイレントモード開始後、対象変動開始前の実際の変動数が「３」（変動Ａ，Ｂ，変動１）である場合を示すが、当該変動Ａ，Ｂは、イベント２区間の開始前に変動を開始するものであるため、変動数は「１」としてカウントされる。
つまり、本実施形態においては、イベント２区間中に対象変動が存在する場合であっても、当該対象変動よりも前に変動を開始し、当該変動開始の時期がイベント２区間の開始前である場合については、サイレントモード時先読み演出の実行対象から除外し、イベント２区間開始後から対象変動までをサイレントモード時先読み演出の実行対象としている。
なお、必ずしも除外する必要はないが、このような設定とすることにより、モード移行演出の実行から、発光及び音声の出力禁止までの流れを際立たせて遊技者に見せることが可能となるとともに、発光及び音声の出力が禁止されるイベント２区間中に突如としてサイレントモード時先読み演出を実行させることができ、遊技の興趣が向上する。
【０３２８】
図５０に示すサイレントモード時先読み演出時期決定テーブルＴＢには、イベント２区間開始後から対象変動との間の変動数（「０回」〜「３」回）ごとに、０〜９９までの先読み演出時期決定乱数の範囲に対応する具体的な演出開始時期が規定されている。例えば、イベント２開始後から対象変動との間の変動数が「０」である場合、先読み演出時期決定乱数の範囲に対応して「対象変動開始直後」の演出開始時期が規定されている。
【０３２９】
ここで、サイレントモード時先読み演出の内容として、前述の「タイマ系演出」が決定されている場合、対象変動開始直後に図４２に示すタイマ表示部Ｑ１に含まれるカウンタがカウントダウンを開始する。また、カウンタの初期値は、当該対象変動に係る演出図柄Ｓが変動を開始してから、演出図柄Ｓが最終的に停止表示される直前の時期までの時間や、変動中の所定時期までの時間等、対象変動に係る演出図柄Ｓの変動が開始してから停止するまでの間であれば如何なる時間であってもよい。
【０３３０】
図５０に戻り、例えば、イベント２開始後から対象変動との間の変動数が「１」である場合、先読み演出時期決定乱数の範囲に対応して「変動１開始直後」、「対象変動開始直後」の演出開始時期が規定されている。また、イベント２開始後から対象変動との間の変動数が「２」である場合、先読み演出時期決定乱数の範囲に対応して「変動１開始直後」、「変動２開始直後」、「対象変動開始直後」の演出開始時期が規定されている。また、イベント２開始後から対象変動との間の変動数が「３」である場合、先読み演出時期決定乱数の範囲に対応して「変動１開始直後」、「変動２開始直後」、「変動３開始直後」、「対象変動開始直後」の演出開始時期が規定されている。なお、サイレントモード時先読み演出の内容として、前述の「タイマ系演出」が決定されており、例えばイベント２開始後から対象変動との間の変動数が「３」であり、演出開始時期が「変動１開始直後」に決定された場合、変動１開始直後に図４２に示すタイマ表示部Ｑ１に含まれるカウンタがカウントダウンを開始する。また、カウンタの初期値は、対象変動に係る演出図柄Ｓの変動開始から変動停止までの間の所定時間に設定される。このような設定がなされることにより、カウンタの初期値は、変動１〜変動３及び対象変動に渡って継続的にカウントダウンされ、これを視認した遊技者は、カウントダウン終了後に何かが起こるかも知れないという期待感対象変動の変動開始前から継続的に得ることができる。
（ステップＳ１２５０−１７）
ＣＰＵ２００ａは、上記ステップＳ１２５０−１３でロードした先読み演出開始時期決定乱数と、上記ステップＳ１２５０−１５でロードしたサイレントモード時先読み演出開始時期決定テーブルＴＢとに基づいて、１の演出開始時期を決定して当該先読み演出実行時期決定処理を終了する。なお、演出開始時期に係る情報はＲＡＭ２００ｃの記憶領域に記憶される。
【０３３１】
［変動パターンコマンド受信処理］
図５１は、図３３のステップＳ１１００のコマンド解析処理のうち、変動パターンコマンドを受信した際に実行される変動パターンコマンド受信処理（Ｓ１２６０）を説明するフローチャートである。上記したとおり、変動パターンコマンドは、主制御回路１００において、図２２のステップＳ６１０−１５でセットされた後、図１２に示すステップＳ１００−３９のサブコマンド送信処理によって演出制御回路２００に送信される。
【０３３２】
（ステップＳ１２６０−１）
変動パターンコマンドを受信すると、ＣＰＵ２００ａは、受信した変動パターンコマンドを解析する。
【０３３３】
（ステップＳ１２６０−３）
ＣＰＵ２００ａは、上記ステップＳ１０００−３で更新された変動演出パターン決定乱数（０〜２４９）を取得するとともに、変動パターン番号に応じた変動演出パターン決定テーブルＴＢを参照し、変動演出パターンテーブルの中から具体的な変動演出を決定する。
【０３３４】
図５２は、変動演出パターン決定テーブルＴＢの一例を示す概要図である。同図に示すように、変動演出パターン決定テーブルＴＢは、主制御回路１００側で決定される変動パターン番号ごとに細分化されている。変動演出パターン決定テーブルＴＢの例として、図５２（ａ）〜（ｄ）には、変動パターン番号「０１Ｈ」，「０２Ｈ」，「１０Ｈ」，「１１Ｈ」とそれぞれ対応する変動演出パターン決定テーブルＴＢが示されている。各変動演出パターン決定テーブルＴＢには、０〜２４９までの変動パターン決定乱数の範囲に対して、複数の変動演出番号が対応付けられている。各変動演出番号には、例えばリーチの有無や、リーチ前の予告有無，種類、リーチ後のリーチ演出の種類等が細かく対応付けされている。
つまり、主制御回路１００側から送信された変動パターン番号が同一であっても、多様なパターンの変動演出が展開されることとなる。以上のとおり、演出制御回路２００は、変動パターン番号に対応するいずれかの変動演出パターン決定テーブルＴＢを参照するとともに、参照した変動演出パターン決定テーブルＴＢの中から、取得した変動演出パターン決定乱数に対応する１の変動演出番号（変動演出パターン）を決定する。
【０３３５】
（ステップＳ１２６０−５）
ＣＰＵ２００ａは、上記ステップＳ１２６０−３で決定された具体的な変動演出を実行するための変動演出実行コマンドを送信バッファにセット（送信バッファに格納）する。
ここでセットされる変動演出実行コマンドには、変動演出番号が含まれ、変動演出実行コマンドがＶＤＰに対する内部コマンドとして送信されることにより、ＶＤＰによって、変動演出番号に対応する変動演出を表示するための画像表示制御が開始される。
【０３３６】
（ステップＳ１２６０−７）
ＣＰＵ２００ａは、上記ステップＳ１２６０−３で決定された変動演出番号に対応するタイムテーブルのデータをセットする。当該タイムテーブルには、変動演出ごとに設定された動画や画像の表示時間や、演出図柄Ｓの停止表示の時期等が規定される。また、前述の先読み演出（通常モード時先読み演出，サイレントモード時先読み演出）が実行される対象となる変動である場合には、上記ステップＳ１２５０の先読み演出時期決定処理によって決定された演出実行時期や表示時間等が規定される。
【０３３７】
（ステップＳ１２３０−９）
ＣＰＵ２００ａは、変動演出の実行時間（演出図柄Ｓの変動時間）を計時すべく、変動時間計時タイマをリセットし、処理を移す。なお、ここでリセットされた変動時間計時タイマは、上記ステップＳ１３００のタイムスケジュール管理処理において、タイマ割込み処理のたびにカウンタ値が加算され、これによって変動演出の実行時間が計時され、タイムテーブルに規定された時期に所定の制御処理が実行される。
【０３３８】
［タイムスケジュール管理処理］
図５３は、タイムスケジュール管理処理（ステップＳ１３００）を説明するフローチャートである。上述のとおり、ＣＰＵ２００ａによって変動演出実行コマンドが送信バッファにセットされ、当該コマンドがステップＳ１１００−７において演出表示部５０Ａを制御するＶＤＰに対する内部コマンドとして送信されることにより、演出表示部５０Ａ上では、演出図柄Ｓの変動表示が開始されるとともに、当該変動表示に伴って変動演出が多様な態様で開始される。当該タイムスケジュール管理処理は、変動演出の実行中に表現される多様な演出を時間管理する。
【０３３９】
（ステップＳ１３００−１）
ＣＰＵ２００ａは、まず、変動時間計時タイマのカウンタ値を加算し、変動演出の実行時間を更新する。なお、前述のとおり、変動時間計時タイマのカウンタ値は、ステップＳ１２３０−９において毎回リセットされる。
【０３４０】
（ステップＳ１３００−３）
ＣＰＵ２００ａは、タイムテーブルを参照し、現在の変動演出の実行時間に応じて、各種の内部コマンドを送信バッファにセットし、演出表示部５０Ａ上において、所定の時期に所定の演出がなされるように演出表示装置５０を制御し、演出図柄Ｓの変動表示中に多様な変動演出を展開させる。また、上記先読み演出が実行される対象である場合には、事前に決定された先読み演出の内容に応じた内部コマンドを送信バッファにセットし、上記変動演出に併せて多様な先読み演出を展開させる。
【０３４１】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【０３４２】
上記実施形態において、図１８のステップＳ５３５−１３の処理を実行するＣＰＵ１００ａが保留記憶手段を構成する。また、図１９の取得時事前判定処理を実行するＣＰＵ１００ａが事前判定手段を構成する。また、図２２の特図当否抽選処理（ステップＳ６１０−９）を実行するＣＰＵ１００ａが当否抽選手段を構成する。また、図２２の特図種別決定抽選処理（ステップＳ６１０−１１）を実行するＣＰＵ１００ａが特図種別決定手段を構成する。また、図２２の特図変動パターン決定抽選処理（ステップＳ６１０−１４）を実行するＣＰＵ１００ａが図柄変動情報決定手段を構成する。また、図２５〜図２８の処理を実行するＣＰＵ１００ａが特別遊技実行手段を構成する。また、図２４の回数切り管理処理（ステップＳ６３０−７）、及び図２９の遊技状態設定処理（ステップＳ６７０−３）を実行するＣＰＵ１００ａが遊技状態設定手段を構成する。演出制御回路２００が演出制御手段を構成する。また、演出制御回路２００において、図４０のサイレントモード時先読み演出決定処理（ステップＳ１２２０）、図４３の通常モード時先読み演出決定処理（ステップＳ１２３０）、図４５の演出モード切替時先読み演出決定処理（ステップＳ１２４０）を実行するＣＰＵ２００ａが先読み演出決定部を構成する。また、図４６の先読み演出時期決定処理（ステップＳ１２５０）を実行するＣＰＵ２００ａが先読み演出時期決定部を構成する。
【符号の説明】
【０３４３】
１  パチンコ機，９  操作機構，９Ａ  プッシュボタン，３０  遊技盤，
３５Ａ  第１特別図柄表示装置，３５Ｂ  第２特別図柄表示装置，
５０Ａ  演出表示部，６０  第１始動部品，６２  第２始動部品，
６４  大入賞部品，６８  通過ゲート，１００  主制御回路，１００ａ  メインＣＰＵ，１００ｂ  メインＲＯＭ，１００ｃ  メインＲＡＭ，１５０  払出制御回路，
２００  演出制御回路，２００ａ  サブＣＰＵ，２００ｂ  サブＲＯＭ，
２００ｃ  サブＲＡＭ 。
【図１】
2016116778.tif 000003
【図４】
2016116778.tif 000004
【図８】
2016116778.tif 000005
【図９】
2016116778.tif 000006
【図１０】
2016116778.tif 000007
【図１１】
2016116778.tif 000008
【図１２】
2016116778.tif 000009
【図１６】
2016116778.tif 000010
【図１７】
2016116778.tif 000011
【図１８】
2016116778.tif 000012
【図２０】
2016116778.tif 000013
【図２１】
2016116778.tif 000014
【図２２】
2016116778.tif 000015
【図２４】
2016116778.tif 000016
【図２５】
2016116778.tif 000017
【図２６】
2016116778.tif 000018
【図２７】
2016116778.tif 000019
【図２８】
2016116778.tif 000020
【図２９】
2016116778.tif 000021
【図３０】
2016116778.tif 000022
【図３１】
2016116778.tif 000023
【図３２】
2016116778.tif 000024
【図３３】
2016116778.tif 000025
【図３５】
2016116778.tif 000026
【図３７】
2016116778.tif 000027
【図３８】
2016116778.tif 000028
【図３９】
2016116778.tif 000029
【図４０】
2016116778.tif 000030
【図４１】
2016116778.tif 000031
【図４２】
2016116778.tif 000032
【図４３】
2016116778.tif 000033
【図４４】
2016116778.tif 000034
【図４７】
2016116778.tif 000035
【図４８】
2016116778.tif 000036
【図４９】
2016116778.tif 000037
【図５０】
2016116778.tif 000038
【図５１】
2016116778.tif 000039
【図５２】
2016116778.tif 000040
【図５３】
2016116778.tif 000041
【図２】
2016116778.tif 000042
【図３】
2016116778.tif 000043
【図５】
2016116778.tif 000044
【図６】
2016116778.tif 000045
【図７】
2016116778.tif 000046
【図１３】
2016116778.tif 000047
【図１４】
2016116778.tif 000048
【図１５】
2016116778.tif 000049
【図１９】
2016116778.tif 000050
【図２３】
2016116778.tif 000051
【図３４】
2016116778.tif 000052
【図３６】
2016116778.tif 000053
【図４５】
2016116778.tif 000054
【図４６】
2016116778.tif 000055